(57)【要約】  コミュニケーション情報伝送システム及びその方法に係り、第１デバイスのコミュニケーション情報伝送方法は、第１デバイスが、第２デバイスからコミュニケーション要請を受信する段階と、第１デバイス周辺の状況情報を獲得する段階と、獲得された状況情報に基づいて、コミュニケーション要請に係わる情報を少なくとも１つの第３デバイスに伝送する段階と、を含む。
2015523830.tif 000002
【特許請求の範囲】
【請求項１】
第１デバイスが、第２デバイスからコミュニケーション要請を受信する段階と、
前記第１デバイス周辺の状況情報を獲得する段階と、
前記獲得された状況情報に基づいて、前記コミュニケーション要請を処理する少なくとも１つの第３デバイスを決定する段階と、を含む第１デバイスのコミュニケーション情報伝送方法。
【請求項２】
前記決定された第３デバイスに、前記コミュニケーション要請に係わる情報を伝送する段階をさらに含むことを特徴とする請求項１に記載の方法。
【請求項３】
前記状況情報を獲得する段階は、
前記第１デバイスに含まれたカメラ及びマイクのうち少なくとも一つを利用して、前記第１デバイス周辺を撮影した映像、及び前記第１デバイス周辺の音声のうち少なくとも一つを獲得することを特徴とする請求項２に記載の方法。
【請求項４】
前記獲得された前記映像及び前記音声のうち少なくとも一つに基づいて、前記第１デバイスのユーザが、前記第１デバイスの周辺に位置するか否かということを判断する段階をさらに含み、
前記コミュニケーション要請に係わる情報を伝送する段階は、前記ユーザが、前記第１デバイスの周辺に位置すると判断されれば、前記コミュニケーション要請に係わる情報を、前記第３デバイスに伝送することを特徴とする請求項３に記載の方法。
【請求項５】
前記ユーザが、前記第１デバイスの周辺に位置するか否かということを判断する段階は、
前記第１デバイスにあらかじめ保存された前記ユーザのイメージ及び音声のうち少なくとも一つを、前記獲得された前記映像及び前記音声のうち少なくとも一つと比較することを特徴とする請求項４に記載の方法。
【請求項６】
前記第３デバイスを決定する段階は、
サーバから、前記第１デバイスと連結可能なデバイスに係わるデバイス情報を受信し、前記受信されたデバイス情報に基づいて、前記第３デバイスを決定することを特徴とする請求項１に記載の方法。
【請求項７】
前記第３デバイスを決定する段階は、
前記デバイスの機能に基づいて、前記コミュニケーション要請を処理する前記第３デバイスを決定し、
前記機能は、カメラを利用した撮影機能、マイクを介した音声入力機能、スピーカを介した音声出力機能、通信機能、印刷機能及びディスプレイ機能のうち少なくとも一つを含むことを特徴とする請求項６に記載の方法。
【請求項８】
前記第３デバイスを決定する段階は、
前記第１デバイスの周辺に位置したデバイスに、デバイス情報の提供を要請し、前記デバイスから受信されたデバイス情報に基づいて、前記デバイスから、前記第３デバイスを決定することを特徴とする請求項１に記載の方法。
【請求項９】
前記コミュニケーション要請を受信する段階は、前記第２デバイスから、通話要請及びメッセージのうち少なくとも一つを受信し、
前記通話要請は、音声通話要請及び映像通話要請のうち少なくとも一つを含むことを特徴とする請求項１に記載の方法。
【請求項１０】
前記第３デバイスは、前記第２デバイスとの通話及びメッセージ送受信のうち少なくとも一つを遂行することを特徴とする請求項９に記載の方法。
【請求項１１】
前記コミュニケーション要請に係わる情報を伝送する段階は、
前記コミュニケーション要請が通話要請であるならば、前記第２デバイスの発信情報を、前記第３デバイスに伝送することを特徴とする請求項２に記載の方法。
【請求項１２】
前記コミュニケーション要請に係わる情報を伝送する段階は、
前記コミュニケーション要請が通話要請であるならば、前記第２デバイスから受信される通話音声及び通話映像のうち少なくとも一つを、前記第３デバイスに伝送することを特徴とする請求項１１に記載の方法。
【請求項１３】
前記コミュニケーション要請に係わる情報を伝送する段階は、
前記通話音声及び通話映像のうち少なくとも一つを、前記第３デバイスに対応する形式に変換し、前記変換された通話音声及び通話映像のうち少なくとも一つを、前記第３デバイスに伝送することを特徴とする請求項１２に記載の方法。
【請求項１４】
前記コミュニケーション要請に係わる情報を伝送する段階は、
前記第２デバイスの電話番号を前記第３デバイスに伝送し、
前記伝送された電話番号は、前記第３デバイスが、前記第２デバイスと通話を行うのに利用されることを特徴とする請求項１１に記載の方法。
【請求項１５】
前記コミュニケーション要請に係わる情報を伝送する段階は、
前記コミュニケーション要請がメッセージであるならば、前記第２デバイスから受信された前記メッセージを、前記第３デバイスに伝送することを特徴とする請求項２に記載の方法。
【請求項１６】
前記コミュニケーション要請に係わる情報を伝送する段階は、
前記メッセージを、前記第３デバイスに対応する形式に変換し、前記変換されたメッセージを、前記第３デバイスに伝送することを特徴とする請求項１５に記載の方法。
【請求項１７】
前記コミュニケーション要請に係わる情報を伝送する段階は、
前記第２デバイスの電話番号を、前記第３デバイスに伝送し、
前記伝送された電話番号は、前記第３デバイスが、前記第２デバイスとメッセージを送受信するのに利用されることを特徴とする請求項１５に記載の方法。
【請求項１８】
前記状況情報を獲得する段階は、
前記第１デバイスに含まれたセンサを利用して、前記第１デバイス周辺の状況についての情報を獲得し、
前記センサは、ジャイロセンサ、地磁気センサ、加速度センサ、重力センサ、光センサ、近接センサ、気圧計、動作認識センサ、羅針盤、ＲＧＢセンサのうち少なくとも一つを含むことを特徴とする請求項１に記載の方法。
【請求項１９】
コミュニケーション情報を伝送する第１デバイスにおいて、
第２デバイスからコミュニケーション要請を受信するコミュニケーション要請受信部と、
前記第１デバイス周辺の状況情報を獲得する状況情報獲得部と、
前記獲得された状況情報に基づいて、前記コミュニケーション要請を処理する少なくとも１つの第３デバイスを決定するデバイス決定部と、を含む第１デバイス。
【請求項２０】
前記決定された第３デバイスに、前記コミュニケーション要請に係わる情報を伝送するコミュニケーション情報提供部をさらに含むことを特徴とする請求項１９に記載の第１デバイス。
【請求項２１】
前記状況情報獲得部は、
前記第１デバイスに含まれたカメラ及びマイクのうち少なくとも一つを利用して、前記第１デバイス周辺を撮影した映像、及び前記第１デバイス周辺の音声のうち少なくとも一つを獲得することを特徴とする請求項２０に記載の第１デバイス。
【請求項２２】
前記獲得された前記映像及び前記音声のうち少なくとも一つに基づいて、前記第１デバイスのユーザが、前記第１デバイスの周辺に位置するか否かということを判断する情報伝送決定部をさらに含み、
前記コミュニケーション情報提供部は、前記ユーザが、前記第１デバイスの周辺に位置すると判断されれば、前記コミュニケーション要請に係わる情報を、前記第３デバイスに伝送することを特徴とする請求項２１に記載の第１デバイス。
【請求項２３】
前記情報伝送決定部は、
前記第１デバイスにあらかじめ保存された前記ユーザのイメージ及び音声のうち少なくとも一つを、前記獲得された前記映像及び前記音声のうち少なくとも一つと比較することを特徴とする請求項２２に記載の第１デバイス。
【請求項２４】
前記デバイス決定部は、
サーバから、前記第１デバイスと連結可能なデバイスに係わるデバイス情報を受信し、前記受信されたデバイス情報に基づいて、前記第３デバイスを決定することを特徴とする請求項１９に記載の第１デバイス。
【請求項２５】
前記デバイス決定部は、
前記デバイスの機能に基づいて、前記デバイスのうち、前記コミュニケーション要請を処理する前記第３デバイスを選択し、
前記機能は、カメラを利用した撮影機能、マイクを介した音声入力機能、スピーカを介した音声出力機能、通信機能、印刷機能及びディスプレイ機能のうち少なくとも一つを含むことを特徴とする請求項２４に記載の第１デバイス。
【請求項２６】
前記デバイス決定部は、
前記第１デバイスの周辺に位置したデバイスに、デバイス情報の提供を要請し、前記デバイスから受信されたデバイス情報に基づいて、前記デバイスから、前記第３デバイスを決定することを特徴とする請求項１９に記載の第１デバイス。
【請求項２７】
前記コミュニケーション要請受信部は、前記第２デバイスから、通話要請及びメッセージのうち少なくとも一つを受信し、
前記通話要請は、音声通話要請及び映像通話要請のうち少なくとも一つを含むことを特徴とする請求項１９に記載の第１デバイス。
【請求項２８】
前記第３デバイスは、前記第２デバイスとの通話及びメッセージ送受信のうち少なくとも一つを遂行することを特徴とする請求項２７に記載の第１デバイス。
【請求項２９】
前記コミュニケーション情報提供部は、
前記コミュニケーション要請が通話要請であるならば、前記第２デバイスの発信情報を、前記第３デバイスに伝送することを特徴とする請求項２０に記載の第１デバイス。
【請求項３０】
前記コミュニケーション情報提供部は、
前記コミュニケーション要請が通話要請であるならば、前記第２デバイスから受信される通話音声及び通話映像のうち少なくとも一つを、前記第３デバイスに伝送することを特徴とする請求項２９に記載の第１デバイス。
【請求項３１】
前記コミュニケーション情報提供部は、
前記通話音声及び通話映像のうち少なくとも一つを、前記第３デバイスが処理する形式に変換し、前記変換された通話音声及び通話映像のうち少なくとも一つを、前記第３デバイスに伝送することを特徴とする請求項３０に記載の第１デバイス。
【請求項３２】
前記コミュニケーション情報提供部は、
前記第２デバイスの電話番号を前記第３デバイスに伝送し、
前記伝送された電話番号は、前記第３デバイスが、前記第２デバイスと通話を行うのに利用されることを特徴とする請求項２９に記載の第１デバイス。
【請求項３３】
前記コミュニケーション情報提供部は、
前記コミュニケーション要請がメッセージであるならば、前記第２デバイスから受信された前記メッセージを、前記第３デバイスに伝送することを特徴とする請求項２０に記載の第１デバイス。
【請求項３４】
前記コミュニケーション情報提供部は、
前記メッセージを、前記第３デバイスに対応する形式に変換し、前記変換されたメッセージを、前記第３デバイスに伝送することを特徴とする請求項３３に記載の第１デバイス。
【請求項３５】
前記コミュニケーション情報提供部は、
前記第２デバイスの電話番号を前記第３デバイスに伝送し、
前記伝送された電話番号は、前記第３デバイスが、前記第２デバイスとメッセージを送受信するのに利用されることを特徴とする請求項３３に記載の第１デバイス。
【請求項３６】
前記状況情報獲得部は、
前記第１デバイスに含まれたセンサを利用して、前記第１デバイス周辺の状況についての情報を獲得し、
前記センサは、ジャイロセンサ、地磁気センサ、加速度センサ、重力センサ、光センサ、近接センサ、気圧計、動作認識センサ、羅針盤、ＲＧＢセンサのうち少なくとも一つを含むことを特徴とする請求項１９に記載の第１デバイス。
【請求項３７】
請求項１に記載の方法をコンピュータで実行させるためのプログラムを記録したコンピュータで読み取り可能な記録媒体。
【発明の詳細な説明】
【技術分野】
【０００１】
本発明は、デバイス周辺の状況情報に基づいて、他のデバイスにコミュニケーション情報を提供することができる、コミュニケーション情報伝送システム及びその方法に関する。
【背景技術】
【０００２】
最近、マルチメディア技術及びネットワーク技術が発達するにつれ、ユーザらは、携帯電話、スマートフォン、コンピュータ、ノート型パソコン、ＴＶ（television）のような多様なデバイスを利用し、互いにコミュニケーションを行えるようになった。しかし、ユーザが使用することができるデバイスの種類が増加したが、ユーザは、自分のデバイスをいずれも所持することができないという問題があった。従って、ユーザのデバイスのうち所定のデバイスが、他のユーザのデバイスからコミュニケーション要請を受信する場合には、ユーザは、他のユーザとコミュニケーションを行うために、コミュニケーション要請を受信したデバイスを探さなければならないという不都合があった。従って、ユーザのデバイスのうち１デバイスが、他のユーザのデバイスからコミュニケーション要請を受信する場合、コミュニケーション要請を処理することができる、ユーザの他のデバイスを効果的に選択し、選択されたデバイスをして、コミュニケーション要請を処理するようにする技術が要求されている。
【発明の概要】
【発明が解決しようとする課題】
【０００３】
本発明の一実施形態は、コミュニケーション要請を受信したデバイスの周辺の状況情報に基づいて、他のデバイスにコミュニケーション情報を提供することができる、コミュニケーション情報伝送システム及びその方法を提供する。
【０００４】
また、本発明の一実施形態は、コミュニケーション要請を受信したデバイスの周辺にユーザが位置しない場合、コミュニケーション要請を処理することができる他のデバイスに、コミュニケーション情報を提供することができるコミュニケーション情報伝送システム及びその方法を提供する。
【課題を解決するための手段】
【０００５】
前述の技術的課題を達成するための技術的手段として、本発明の第１側面は、第１デバイスが、第２デバイスからコミュニケーション要請を受信する段階と、前記第１デバイス周辺の状況情報を獲得する段階と、前記獲得された状況情報に基づいて、前記コミュニケーション要請を処理することができる少なくとも１つの第３デバイスを決定する段階と、を含む、第１デバイスのコミュニケーション情報伝送方法を提供することができる。
また、前記方法は、前記決定された第３デバイスに、前記コミュニケーション要請に係わる情報を伝送する段階をさらに含んでもよい。
【０００６】
また、前記状況情報を獲得する段階は、前記第１デバイスに含まれたカメラ及びマイクのうち少なくとも一つを利用して、前記第１デバイス周辺を撮影した映像、及び前記第１デバイス周辺の音声のうち少なくとも一つを獲得することができる。
【０００７】
また、前記方法は、前記獲得された前記映像及び前記音声のうち少なくとも一つに基づいて、前記第１デバイスのユーザが、前記第１デバイスの周辺に位置するか否かということを判断する段階をさらに含み、前記コミュニケーション要請に係わる情報を伝送する段階は、前記ユーザが、前記第１デバイスの周辺に位置すると判断されれば、前記コミュニケーション要請に係わる情報を、前記第３デバイスに伝送することができる。
【０００８】
また、前記ユーザが、前記第１デバイスの周辺に位置するか否かということを判断する段階は、前記第１デバイスにあらかじめ保存された前記ユーザのイメージ及び音声のうち少なくとも一つを、前記獲得された前記映像及び前記音声のうち少なくとも一つと比較することができる。
【０００９】
また、前記第３デバイスを決定する段階は、サーバから、前記第１デバイスと連結可能なデバイスに係わるデバイス情報を受信し、前記受信されたデバイス情報に基づいて、前記第３デバイスを決定することができる。
【００１０】
また、前記第３デバイスを決定する段階は、前記デバイスの機能に基づいて、前記コミュニケーション要請を処理することができる前記第３デバイスを決定し、前記機能は、カメラを利用した撮影機能、マイクを介した音声入力機能、スピーカを介した音声出力機能、通信機能、印刷機能及びディスプレイ機能のうち少なくとも一つを含んでもよい。
【００１１】
また、前記第３デバイスを決定する段階は、前記第１デバイスの周辺に位置したデバイスに、デバイス情報の提供を要請し、前記デバイスから受信されたデバイス情報に基づいて、前記デバイスから、前記第３デバイスを決定することができる。
【００１２】
また、前記コミュニケーション要請を受信する段階は、前記第２デバイスから、通話要請及びメッセージのうち少なくとも一つを受信し、前記通話要請は、音声通話要請及び映像通話要請のうち少なくとも一つを含んでもよい。
また、前記第３デバイスは、前記第２デバイスとの通話及びメッセージ送受信のうち少なくとも一つを遂行することができる。
【００１３】
また、前記コミュニケーション要請に係わる情報を伝送する段階は、前記コミュニケーション要請が通話要請であるならば、前記第２デバイスの発信情報を、前記第３デバイスに伝送することができる。
【００１４】
また、前記コミュニケーション要請に係わる情報を伝送する段階は、前記コミュニケーション要請が通話要請であるならば、前記第２デバイスから受信される通話音声及び通話映像のうち少なくとも一つを、前記第３デバイスに伝送することができる。
【００１５】
また、前記コミュニケーション要請に係わる情報を伝送する段階は、前記通話音声及び通話映像のうち少なくとも一つを、前記第３デバイスに対応する形式に変換し、前記変換された通話音声及び通話映像のうち少なくとも一つを、前記第３デバイスに伝送することができる。
【００１６】
また、前記コミュニケーション要請に係わる情報を伝送する段階は、前記第２デバイスの電話番号を前記第３デバイスに伝送し、前記伝送された電話番号は、前記第３デバイスが、前記第２デバイスと通話を行うのに利用される。
【００１７】
また、前記コミュニケーション要請に係わる情報を伝送する段階は、前記コミュニケーション要請がメッセージであるならば、前記第２デバイスから受信された前記メッセージを、前記第３デバイスに伝送することができる。
【００１８】
また、前記コミュニケーション要請に係わる情報を伝送する段階は、前記メッセージを、前記第３デバイスに対応する形式に変換し、前記変換されたメッセージを、前記第３デバイスに伝送することができる。
【００１９】
また、前記コミュニケーション要請に係わる情報を伝送する段階は、前記第２デバイスの電話番号を前記第３デバイスに伝送し、前記伝送された電話番号は、前記第３デバイスが、前記第２デバイスとメッセージを送受信するのに利用される。
【００２０】
また、前記状況情報を獲得する段階は、前記第１デバイスに含まれたセンサを利用して、前記第１デバイス周辺の状況についての情報を獲得し、前記センサは、ジャイロセンサ（gyro sensor）、地磁気センサ（geo-magnetic sensor）、加速度センサ（accelerometer sensor）、重力センサ（gravity sensor）、光センサ（light sensor）、近接センサ（proximity sensor）、気圧計（ｂａｒｏｍｅｔｅｒ）、動作認識センサ（motion recognition sensor）、羅針盤（compass）、ＲＧＢセンサのうち少なくとも一つを含んでもよい。
【００２１】
また、本発明の第２側面は、第２デバイスからコミュニケーション要請を受信するコミュニケーション要請受信部と、前記第１デバイス周辺の状況情報を獲得する状況情報獲得部と、前記獲得された状況情報に基づいて、前記コミュニケーション要請を処理することができる少なくとも１つの第３デバイスを決定するデバイス決定部と、を含む、コミュニケーション情報を伝送する第１デバイスを提供することができる。
【００２２】
また、前記第１デバイスは、前記決定された第３デバイスに、前記コミュニケーション要請に係わる情報を伝送するコミュニケーション情報提供部をさらに含んでもよい。
【００２３】
また、前記状況情報獲得部は、前記第１デバイスに含まれたカメラ及びマイクのうち少なくとも一つを利用して、前記第１デバイス周辺を撮影した映像、及び前記第１デバイス周辺の音声のうち少なくとも一つを獲得することができる。
【００２４】
また、前記第１デバイスは、前記獲得された前記映像及び前記音声のうち少なくとも一つに基づいて、前記第１デバイスのユーザが、前記第１デバイスの周辺に位置するか否かということを判断する情報伝送決定部をさらに含み、前記コミュニケーション情報提供部は、前記ユーザが、前記第１デバイスの周辺に位置すると判断されれば、前記コミュニケーション要請に係わる情報を、前記第３デバイスに伝送することができる。
【００２５】
また、前記情報伝送決定部は、前記第１デバイスにあらかじめ保存された前記ユーザのイメージ及び音声のうち少なくとも一つを、前記獲得された前記映像及び前記音声のうち少なくとも一つと比較することができる。
【００２６】
また、前記デバイス決定部は、サーバから、前記第１デバイスと連結可能なデバイスに係わるデバイス情報を受信し、前記受信されたデバイス情報に基づいて、前記第３デバイスを決定することができる。
【００２７】
また、前記デバイス決定部は、前記デバイスの機能に基づいて、前記デバイスのうち前記コミュニケーション要請を処理することができる前記第３デバイスを選択し、前記機能は、カメラを利用した撮影機能、マイクを介した音声入力機能、スピーカを介した音声出力機能、通信機能、印刷機能及びディスプレイ機能のうち少なくとも一つを含んでもよい。
【００２８】
また、前記デバイス決定部は、前記第１デバイスの周辺に位置したデバイスに、デバイス情報の提供を要請し、前記デバイスから受信されたデバイス情報に基づいて、前記デバイスから、前記第３デバイスを決定することができる。
【００２９】
また、前記コミュニケーション要請受信部は、前記第２デバイスから、通話要請及びメッセージのうち少なくとも一つを受信し、前記通話要請は、音声通話要請及び映像通話要請のうち少なくとも一つを含んでもよい。
また、前記第３デバイスは、前記第２デバイスとの通話及びメッセージ送受信のうち少なくとも一つを遂行することができる。
【００３０】
また、前記コミュニケーション情報提供部は、前記コミュニケーション要請が通話要請であるならば、前記第２デバイスの発信情報を、前記第３デバイスに伝送することができる。
【００３１】
また、前記コミュニケーション情報提供部は、前記コミュニケーション要請が通話要請であるならば、前記第２デバイスから受信される通話音声及び通話映像のうち少なくとも一つを、前記第３デバイスに伝送することができる。
【００３２】
また、前記コミュニケーション情報提供部は、前記通話音声及び通話映像のうち少なくとも一つを、前記第３デバイスが処理することができる形式に変換し、前記変換された通話音声及び通話映像のうち少なくとも一つを、前記第３デバイスに伝送することができる。
【００３３】
また、前記コミュニケーション情報提供部は、前記第２デバイスの電話番号を前記第３デバイスに伝送し、前記伝送された電話番号は、前記第３デバイスが、前記第２デバイスと通話を行うのに利用される。
【００３４】
また、前記コミュニケーション情報提供部は、前記コミュニケーション要請がメッセージであるならば、前記第２デバイスから受信された前記メッセージを、前記第３デバイスに伝送することができる。
【００３５】
また、前記コミュニケーション情報提供部は、前記メッセージを、前記第３デバイスに対応する形式に変換し、前記変換されたメッセージを、前記第３デバイスに伝送することができる。
【００３６】
また、前記コミュニケーション情報提供部は、前記第２デバイスの電話番号を前記第３デバイスに伝送し、前記伝送された電話番号は、前記第３デバイスが、前記第２デバイスとメッセージを送受信するのに利用される。
【００３７】
また、前記状況情報獲得部は、前記第１デバイスに含まれたセンサを利用して、前記第１デバイス周辺の状況についての情報を獲得し、前記センサは、ジャイロセンサ、地磁気センサ、加速度センサ、重力センサ、光センサ、近接センサ、気圧計、動作認識センサ、羅針盤、ＲＧＢセンサのうち少なくとも一つを含んでもよい。
【００３８】
また、本発明の第３側面は、第１側面の方法をコンピュータで実行させるためのプログラムを記録したコンピュータで読み取り可能な記録媒体を提供することができる。
【図面の簡単な説明】
【００３９】
【図１】本発明の一実施形態によるコミュニケーション情報伝送システムの全体概要図である。
【図２Ａ】本発明の一実施形態による、第１デバイスが第３デバイスに発信情報を提供する一例を図示した図面である。
【図２Ｂ】本発明の一実施形態による、第１デバイスが第３デバイスに発信情報を提供する一例を図示した図面である。
【図３】本発明の一実施形態によるコミュニケーション情報伝送方法のフローチャートである。
【図４】本発明の一実施形態によるコミュニケーション情報伝送システムにおいて、第２デバイス及び第３デバイスが、第１デバイスを経由してコミュニケーション情報を送受信する一例を図示した図面である。
【図５】本発明の一実施形態による、第２デバイスが第１デバイスに通話を要請する場合、第２デバイス及び第３デバイスが、第１デバイスを経由して通話を行う方法のフローチャートである。
【図６】本発明の一実施形態による、第２デバイスが第１デバイスにメッセージを伝送する場合、第２デバイス及び第３デバイスが、第１デバイスを経由してメッセージを送受信する方法のフローチャートである。
【図７】本発明の一実施形態によるコミュニケーション情報伝送システムにおいて、第２デバイス及び第３デバイスが、直接コミュニケーション情報を送受信する一例を図示した図面である。
【図８】本発明の一実施形態による、第２デバイスが第１デバイスに通話を要請する場合、第２デバイス及び第３デバイスが直接通話を行う方法のフローチャートである。
【図９】本発明の一実施形態による、第２デバイスが第１デバイスにメッセージを伝送する場合、第２デバイス及び第３デバイスが直接メッセージを送受信する方法のフローチャートである。
【図１０】本発明の一実施形態による、第１デバイスが状況情報を獲得する方法のフローチャートである。
【図１１】本発明の一実施形態による、第１デバイスがコミュニケーションの要請に係わる情報を、第３デバイスに伝送するか否かということを決定する方法のフローチャートである。
【図１２】本発明の一実施形態による、第１デバイスがサーバ（図示せず）から受信されるデバイス情報に基づいて、コミュニケーション要請を処理することができる第３デバイスを決定する方法のフローチャートである。
【図１３】本発明の一実施形態による、第１デバイスが、第１デバイスの周辺のデバイスから受信されるデバイス情報に基づいて、コミュニケーション要請を処理することができる第３デバイスを決定する方法のフローチャートである。
【図１４】本発明の一実施形態による第１デバイスのブロック図である。
【図１５】本発明の一実施形態による状況情報獲得部の細部ブロック図である。
【図１６】本発明の他の実施形態による第１デバイスのブロック図である。
【発明を実施するための形態】
【００４０】
以下、添付した図面を参照し、本発明が属する技術分野で当業者が容易に実施することができるように、本発明の実施形態について詳細に説明する。しかし、本発明は、さまざまに異なる形態に具現され、ここで説明する実施形態に限定されるものではない。そして、図面において、本発明について明確に説明するために、説明と係わりのない部分は省略し、明細書全体を介して、類似した部分については、類似した図面符号を付した。
【００４１】
明細書全体で、ある部分が他の部分と「連結」されているとするとき、それは、「直接連結」されている場合だけではなく、その中間に、他の素子を挟んで「電気的に連結」されている場合も含む。また、ある部分がある構成要素を「含む」とするとき、それは、特別に反対となる記載がない限り、他の構成要素を除くものではなく、他の構成要素をさらに含んでもよいということを意味する。
【００４２】
また、本明細書において、コミュニケーション情報は、電話通話、メッセージ送受信に係わる情報を意味する。該電話通話は、音声通話及び映像通話を含んでもよい。また、該メッセージは、電子メール（email）、ＳＭＳ（short  message  service）、ＭＭＳ（multimedia  messaging  service）、メッセンジャプログラムを介して伝送されるメッセージを含んでもよい。
以下、添付された図面を参照し、本発明について詳細に説明する。
図１は、本発明の一実施形態によるコミュニケーション情報伝送システムの全体概要図である。
【００４３】
図１に図示されているように、本発明の一実施形態によるコミュニケーション情報伝送システムは、第１デバイス１０００、第２デバイス２０００、及び少なくとも１つの第３デバイス３０００を含む。
【００４４】
本発明の一実施形態によるコミュニケーション情報システムにおいて、第２デバイス２０００が第１デバイス１０００に通話を要請したり、あるいはメッセージを送信したりすれば、第１デバイス１０００は、第１デバイス１０００周辺の状況情報を獲得することができる。また、第１デバイス１０００は、第１デバイス１０００の周辺に、ユーザが位置するか否かということを判断して、第１デバイス１０００の周辺に、ユーザが位置しなければ、電話通話及びメッセージに係わる情報を少なくとも１つの第３デバイス３０００に伝送する。その場合、第１デバイス１０００は、デバイスのうち電話通話及びメッセージを処理することができる第３デバイス３０００を検索することができる。また、第３デバイス３０００は、第２デバイス２０００と通話を行ったり、あるいはメッセージを送受信したりすることができる。
【００４５】
第１デバイス１０００は、有線／無線ネットワークを介して、第２デバイス２０００及び第３デバイス３０００と連結可能な全種のデバイスを含む。第１デバイス１０００は、スマートフォン、携帯電話、ＰＤＡ（personal  digital  assistant）、デジタルＴＶ（television）、メディアプレイヤ、ＧＰＳ（global  positioning  system）装置、ラップトップ、及びその他のモバイルまたは非モバイルのコンピュータ装置でもあるが、それらに制限されるものではない。
【００４６】
また、第３デバイス３０００は、有線／無線ネットワークを介して、第１デバイス１０００及び第２デバイス２０００と連結可能な全種のデバイスを含む。第３デバイス３０００は、スマートフォン、携帯電話、ＰＤＡ、デジタルＴＶ、プリンタ、メディアプレイヤ、ＧＰＳ装置、ラップトップ、及びその他のモバイルまたは非モバイルのコンピュータ装置でもあるが、それらに制限されるものではない。
【００４７】
例えば、第１デバイス１０００が居間に置かれており、ユーザが居間でＴＶを視聴している場合、第１デバイス１０００が、第２デバイス２０００から通話要請を受信すれば、第１デバイス１０００は、居間にユーザがいないということを確認することができる。また、第１デバイス１０００は、第２デバイス２０００の発信情報をＴＶに伝送することができ、ＴＶは、発信情報を画面にディスプレイし、ユーザ入力に基づいて、第２デバイス２０００と通話を行うことができる。
【００４８】
また、例えば、第１デバイス１０００が居間に置かれており、ユーザが書斎でコンピュータを使用している場合、第１デバイス１０００が、第２デバイス２０００からメッセージを受信すれば、第１デバイス１０００は、居間にユーザがいないということを確認することができる。また、第１デバイス１０００は、第２デバイス２０００から受信されたメッセージをコンピュータに伝送することができ、コンピュータは、メッセージを画面にディスプレイし、ユーザ入力に基づいて、第２デバイス２０００とメッセージを送受信することができる。
【００４９】
また、例えば、第１デバイス１０００が居間に置かれており、第１デバイス１０００が、第２デバイス２０００からメッセージを受信すれば、第１デバイス１０００は、居間にユーザがいないということを確認することができる。また、第１デバイス１０００は、第２デバイス２０００から受信されたメッセージをプリンタに伝送することができ、プリンタは、受信されたメッセージを出力することができる。
図２Ａ及び図２Ｂは、本発明の一実施形態による、第１デバイス１０００が第３デバイス３０００に発信情報を提供する一例を図示した図面である。
【００５０】
図２Ａを参照すれば、第１デバイス１０００が，第２デバイス２０００から通話要請を受信し、第１デバイス１０００の周辺に、ユーザが位置すると判断すれば、第１デバイス１０００は、第２デバイス２０００の発信情報を，第１デバイス１０００の画面にディスプレイすることができる。その場合、第１デバイス１０００は、第３デバイス３０００に発信情報を提供しない。
【００５１】
また、図２Ｂを参照すれば、第１デバイス１０００が，第２デバイス２０００から通話要請を受信し、第１デバイス１０００の周辺に、ユーザが位置しないと判断すれば、第１デバイス１０００は、第２デバイス２０００の発信情報を，第３デバイス３０００に提供することができる。また、第３デバイス３０００は、受信された発信情報を，第３デバイス３０００の画面にディスプレイすることができる。その場合、発信情報は，第３デバイス３０００で再生中であるコンデンツ画面にオーバーラップされて表示される。
図３は、本発明の一実施形態によるコミュニケーション情報伝送方法のフローチャートである。
【００５２】
段階Ｓ２００で、第１デバイス１０００は、第２デバイス２０００から、コミュニケーション要請を受信する。第１デバイス１０００は、第２デバイス２０００から、通話要請を受信したり、あるいはメッセージを受信することができる。該通話要請は、音声通話要請及び映像通話要請を含んでもよい。また、該メッセージは、電子メール、ＳＭＳ、ＭＭＳ、メッセンジャプログラムを介して伝送されるメッセージを含んでもよい。第１デバイス１０００が、第２デバイス２０００から通話要請を受信した場合、第１デバイス１０００は、電話ベルを鳴らすことができる。
【００５３】
段階Ｓ２１０で、第１デバイス１０００は、第１デバイス１０００の周辺の状況情報を獲得する。第１デバイス１０００は、第１デバイス１０００に含まれた、カメラ、マイク及びセンサのうち少なくとも一つを利用することにより、第１デバイス１０００の周辺状況に係わる情報を獲得することができる。
【００５４】
例えば、第１デバイス１０００は、カメラを利用して、第１デバイス１０００の周辺を撮影することができる。その場合、第１デバイス１０００は、第２デバイス２０００から通話要請が受信されることにより、カメラアプリケーションを実行し、実行されたカメラアプリケーションを制御することにより、第１デバイス１０００の周辺を撮影することができる。第１デバイス１０００が動画を撮影した場合、撮影された動画のフレームを互いに比較し、色または明るさの差を確認することができる。また、第１デバイス１０００は、撮影された映像内にユーザが含まれた場合、撮影されたユーザが、第１デバイス１０００のユーザであるか否かということを確認することができる。また、第１デバイス１０００は、第１デバイス１０００が置かれた状態により、第１デバイス１０００の前面に位置したカメラを活性化させるか、あるいは第１デバイス１０００の背面に位置したカメラを活性化させるかということを決定することができる。
【００５５】
また、例えば、第１デバイス１０００は、マイクを利用して、第１デバイス１０００の周辺音声を録音することができる。その場合、第１デバイス１０００は、第２デバイス２０００から、通話要請が受信されることにより、音声録音アプリケーションを実行することができ、実行された音声録音アプリケーションを制御することにより、第１デバイス１０００の周辺音声を録音することができる。第１デバイス１０００は、録音された音声の大きさ変化をモニタリングすることができる。例えば、ユーザが第１デバイス１０００を手にする場合、第１デバイス１０００は、第１デバイス１０００の周辺音声変化を感知することができる。
【００５６】
また、第１デバイス１０００は、各種センサを利用して、第１デバイス１０００の周辺状況に係わる情報を獲得することができる。その場合、第１デバイス１０００は、第２デバイス２０００から、通話要請が受信されることにより、センサアプリケーションを実行することができ、実行されたセンサアプリケーションを制御することにより、第１デバイス１０００の周辺に係わる状況情報を獲得することができる。該センサは、例えば、ジャイロセンサ（gyro  sensor）、地磁気センサ（geo-magnetic  sensor）、加速度センサ（accelerometer  sensor）、重力センサ（gravity  sensor）、光センサ（light  sensor）、近接センサ（proximity  sensor）、気圧計（barometer）、動作認識センサ（motion  recognition  sensor）、羅針盤（compass）、ＲＧＢセンサのうち少なくとも一つを含んでもよい。第１デバイス１０００は、各種センサを介して感知された値の変化をモニタリングすることができる。
【００５７】
また、第１デバイス１０００は、宅内のホームネットワークシステム（図示せず）を介して、第１デバイス１０００の周辺状況に係わる情報を獲得することもできる。ホームネットワークシステム（図示せず）は、セキュリティシステムを含んでもよいが、それに制限されるものではない。ホームネットワークシステム（図示せず）は、ゲートウェイ（図示せず）、第１デバイス１０００、第３デバイス３０００、及び宅内の各種機器を含んでもよい。また、宅内の各種機器は、監視カメラ、音声収集装置、温度センサ及び湿度センサを含んでもよい。ゲートウェイ（図示せず）は、宅内の各種機器を介して、宅内の状況情報を獲得することができる。例えば、ゲートウェイ（図示せず）は、監視カメラから撮影される映像、音声収集装置を介して獲得される音声、及び温度センサと湿度センサとを介して獲得されるセンシング情報を受信することができる。また、第１デバイス１０００は、ゲートウェイ（図示せず）によって獲得された状況情報を、ゲートウェイ（図示せず）から受信することができる。
【００５８】
段階Ｓ２２０で、第１デバイス１０００は、コミュニケーション要請に係わる情報を伝送するか否かということを決定する。第１デバイス１０００は、獲得された状況情報に基づいて、第１デバイス１０００の周辺に、ユーザが位置するか否かということを判断し、第１デバイス１０００周辺のユーザが、第１デバイス１０００に登録されたユーザであるか否かということを判断することができる。
【００５９】
例えば、ユーザが、第１デバイス１０００を手にしたり、あるいは第１デバイス１０００の位置に移動したりすることにより、第１デバイス１０００で撮影された映像の明るさが暗かったり、あるいは録音された音声の大きさが大きくなったりすれば、第１デバイス１０００は、第１デバイス１０００の周辺に、ユーザが位置すると判断することができる。また、ユーザが、第１デバイス１０００を手にし、第１デバイス１０００を動かすことにより、第１デバイス１０００は、動作センサを利用して、第１デバイス１０００の動きを感知することができ、第１デバイス１０００は、動きが感知されれば、第１デバイス１０００の周辺に、ユーザが位置すると判断することができる。
【００６０】
また、第１デバイス１０００は、撮影された映像内のユーザの顔を感知し、撮影された映像内のユーザが、第１デバイス１０００に登録されたユーザであるか否かということを判断することができる。第１デバイス１０００は、撮影された映像内のユーザの顔の形状、目の形状、鼻の形状、口の形状、目の位置、鼻の位置及び口の位置に基づいて、撮影された映像内のユーザが、第１デバイス１０００に登録されたユーザであるか否かということを確認することができる。
【００６１】
また、撮影された映像内のユーザが、第１デバイス１０００に登録されたユーザであるか否かということは、第１デバイス１０００のメモリに保存されたユーザ情報に基づいて判断される。その場合、第１デバイス１０００に登録されたユーザを撮影したイメージが、第１デバイス１０００のメモリに保存される。また、撮影された映像内のユーザが、第１デバイス１０００に登録されたユーザであるか否かということは、別途のサーバ（図示せず）に保存されたユーザ情報に基づいて判断される。例えば、第１デバイス１０００に対応するＳＮＳ（social  networking  service）のサービス提供サーバに保存されたユーザイメージに基づいて、撮影された映像内のユーザが、第１デバイス１０００に登録されたユーザであるか否かということが判断される。
【００６２】
また、第１デバイス１０００は、第１デバイス１０００周辺の撮影イメージ、録音された音声及びセンシング情報のうち少なくとも２以上の組み合わせに基づいて、第１デバイス１０００の周辺に、ユーザが位置するか否かということを判断することもできる。
【００６３】
また、第１デバイス１０００は、録音された音声が、第１デバイス１０００に登録されたユーザの音声であるか否かということを判断することもできる。その場合、第１デバイス１０００に登録されたユーザの音声が、第１デバイス１０００、または別途のサーバ（図示せず）にあらかじめ保存される。
【００６４】
また、第１デバイス１０００は、第１デバイス１０００周辺に、ユーザが位置しないと判断されるか、あるいはユーザが、第１デバイス１０００に登録されたユーザではなければ、コミュニケーション要請に係わる情報を、第３デバイス３０００に伝送するように決定することができる。
【００６５】
一方、第１デバイス１０００は、ゲートウェイ（図示せず）から受信されるユーザの位置情報に基づいて、ユーザが、第１デバイス１０００の周辺に位置するか否かということを判断することもできる。その場合、ゲートウェイ（図示せず）は、宅内の各種機器を介して獲得される状況情報に基づいて、宅内のユーザの位置情報を生成することができる。例えば、ゲートウェイ（図示せず）は、監視カメラから撮影される映像、音声収集装置を介して獲得される音声、並びに温度センサ及び湿度センサを介して獲得されるセンシング情報を利用して、宅内において、ユーザが位置したところについての位置情報を生成することができる。また、ユーザの位置情報は、ユーザが、宅内でどのデバイスの周辺に位置するかということについての情報を含んでもよい。
【００６６】
また、第１デバイス１０００は、ゲートウェイ（図示せず）によって生成された位置情報を受信し、受信された位置情報に基づいて、ユーザが、第１デバイス１０００の周辺に位置するか否かということを判断することもできる。
【００６７】
段階Ｓ２３０で、第１デバイス１０００は、コミュニケーション要請を処理する第３デバイス３０００を決定する。第１デバイス１０００は、周辺のデバイスのうち、コミュニケーション要請を処理する少なくとも１つの第３デバイス３０００を検索して選択することができる。コミュニケーション要請の処理は、コミュニケーション要請に係わる情報を表示したり、あるいは第２デバイス２０００とコミュニケーションを遂行することができることを意味する。
【００６８】
具体的には、第１デバイス１０００は、サーバ（図示せず）に、第１デバイス１０００と連結可能なデバイスに係わるデバイス情報を要請し、サーバ（図示せず）から受信されたデバイス情報に基づいて、第３デバイス３０００を検索することができる。その場合、第１デバイス１０００と連結可能なデバイスに係わる情報は、サーバ（図示せず）にあらかじめ保存される。また、サーバ（図示せず）は、宅外に位置したサーバであるか、あるいはホームネットワークのための宅内のゲートウェイでもあるが、それらに制限されるものではない。
【００６９】
また、デバイス情報は、デバイスに係わる各種の情報を含む。デバイス情報は、デバイスの種類、デバイスに含まれた機能に係わる情報を含んでもよい。デバイスに含まれた機能は、例えば、カメラを利用した撮影機能、マイクを介した音声入力機能、スピーカを介した音声出力機能、通信機能、印刷機能及びディスプレイ機能のうち少なくとも一つを含んでもよい。
【００７０】
また、第１デバイス１０００は、要請されたコミュニケーションの種類により、第３デバイス３０００を決定することができる。例えば、第１デバイス１０００が、第２デバイス２０００から映像通話要請を受信した場合、第１デバイス１０００は、周辺のデバイスのうち、撮影機能、音声入力機能、音声出力機能、ディスプレイ機能を含むＴＶを、第３デバイス３０００として決定することができる。また、例えば、第１デバイス１０００が、第２デバイス２０００からメッセージを受信した場合、第１デバイス１０００は、周辺のデバイスのうち、ディスプレイ機能及びネットワーク通信機能を含むノート型パソコンを、第３デバイス３０００として決定することができる。また、例えば、第１デバイス１０００が、第２デバイス２０００からメッセージを受信した場合、第１デバイス１０００は、周辺のデバイスのうち、印刷機能を含むプリンタを、第３デバイス３０００として決定することができる。
【００７１】
また、第１デバイス１０００は、少なくとも１つの第３デバイス３０００を検索することができ、検索された全ての第３デバイス３０００に、コミュニケーション情報を提供することを決定することができる。また、第１デバイス１０００は、検索された少なくとも１つの第３デバイス３０００のうち所定のデバイスを、コミュニケーション情報を提供するデバイスとして選択することができる。その場合、検索された少なくとも１つの第３デバイス３０００は、第３デバイス３０００の周辺に、ユーザが位置するか否かということを確認することができ、第１デバイス１０００は、ユーザが周辺に位置した第３デバイス３０００を、コミュニケーション情報を提供するデバイスとして選択することができる。その場合、第３デバイス３０００は、第３デバイス３０００に含まれたカメラ、マイク及び各種のセンサを利用して、第３デバイス３０００の周辺に、ユーザが位置するか否かということを確認することができる。
【００７２】
また、第１デバイス１０００は、周辺に位置したデバイスに、デバイス情報の提供を要請し、周辺のデバイスから受信されたデバイス情報に基づいて、第３デバイス３０００を決定することもできる。その場合、第１デバイス１０００は、周辺に位置したデバイスに、デバイス情報提供の要請をブロードキャスティングすることができるが、それに制限されるものではない。また、第１デバイス１０００は、宅内に位置したデバイスに、デバイス情報の提供を要請することができるが、それらに制限されるものではない。
【００７３】
また、第１デバイス１０００は、要請されたコミュニケーションの種類によって、コミュニケーション情報を伝送する第３デバイス３０００をあらかじめ設定することもできる。また、第１デバイス１０００は、ユーザ入力に基づいて、要請されたコミュニケーションの種類に対応する第３デバイス３０００を決定することもできる。
【００７４】
一方、第１デバイス１０００が、ゲートウェイ（図示せず）からユーザの位置情報を受信する場合、第１デバイス１０００は、受信された位置情報に基づいて、第３デバイス３０００を決定することもできる。ゲートウェイ（図示せず）から受信されるユーザの位置情報は、ユーザが宅内でどのデバイスの周辺に位置するかということについての情報を含んでもよい。また、第１デバイス１０００は、ユーザ周辺のデバイスのうち、コミュニケーション要請を処理することができるデバイスを、第３デバイス３０００として決定することができる。
【００７５】
段階Ｓ２４０で、第１デバイス１０００は、コミュニケーション要請に係わる情報を、第３デバイス３０００に伝送する。第１デバイス１０００が、第２デバイス２０００から通話要請を受信した場合、第１デバイス１０００は、第３デバイス３０００に、第２デバイス２０００の発信情報を提供することができる。また、第１デバイス１０００は、第３デバイス３０００と第２デバイス２０００とが互いに通話を行うように、通話と係わる音声情報または映像情報を中継することができる。
【００７６】
また、第１デバイス１０００が、第２デバイス２０００からメッセージを受信する場合、第１デバイス１０００は、第３デバイス３０００に、受信されたメッセージ、第２デバイス２０００の電話番号、及び第２デバイス２０００と通信可能な接続情報のうち少なくとも一つを提供することができる。また、第１デバイス１０００は、第３デバイス３０００から受信されたメッセージを、第２デバイス２０００に提供することもできる。
【００７７】
また、第１デバイス１０００は、コミュニケーション要請に係わる情報を、第３デバイス３０００で処理することができる形式に変換し、変換された情報を、第３デバイス３０００に提供することができる。その場合、第１デバイス１０００は、第３デバイス３０００が処理することができるデータ形式についての情報を、外部機器またはサーバから受信することができる。例えば、第１デバイス１０００は、宅内のゲートウェイから、第３デバイス３０００にインストールされたアプリケーション、第３デバイス３０００が支援するコーデック、ファイル拡張子についての情報を受信することができる。
【００７８】
図４は、本発明の一実施形態による、コミュニケーション情報伝送システムにおいて、第２デバイス２０００及び第３デバイス３０００が、第１デバイス１０００を経由して、コミュニケーション情報を送受信する一例を図示した図面である。
【００７９】
図４に図示されているように、本発明の一実施形態によるコミュニケーション情報伝送システムにおいて、第１デバイス１０００は、第２デバイス２０００から受信された通話情報及びメッセージ情報を、第３デバイス３０００に提供することができ、第３デバイス３０００から受信された通話情報及びメッセージ情報を、第１デバイス１０００に提供することができる。
【００８０】
図５は、本発明の一実施形態による、第２デバイス２０００が第１デバイス１０００に通話を要請する場合、第２デバイス２０００及び第３デバイス３０００が、第１デバイス１０００を経由して、通話を行う方法のフローチャートである。
【００８１】
段階Ｓ４００で、第１デバイス１０００は、第２デバイス２０００から通話要請を受信する。第１デバイス１０００は、第２デバイス２０００から、音声通話要請及び映像通話要請のうち少なくとも一つを受信することができる。第１デバイス１０００が、第２デバイス２０００から通話要請を受信した場合、第１デバイス１０００は、電話ベルを鳴らすことができる。
【００８２】
段階Ｓ４１０で、第１デバイス１０００は、第１デバイス１０００の周辺状況情報を獲得する。第１デバイス１０００は、第１デバイス１０００に含まれたカメラ、マイク及びセンサのうち少なくとも一つを利用することにより、第１デバイス１０００の周辺状況に係わる情報を獲得することができる。
【００８３】
例えば、第１デバイス１０００は、カメラを利用して、第１デバイス１０００の周辺を撮影することができる。第１デバイス１０００が動画を撮影した場合、撮影された動画のフレームを互いに比較し、色または明るさの差を確認することができる。また、第１デバイス１０００は、撮影された映像内にユーザが含まれた場合、撮影されたユーザが、第１デバイス１０００のユーザであるか否かということを確認することができる。
【００８４】
また、例えば、第１デバイス１０００は、マイクを利用して、第１デバイス１０００周辺の音声を録音することができる。第１デバイス１０００は、録音された音声の大きさ変化をモニタリングすることができる。例えば、ユーザが、第１デバイス１０００を手にする場合、第１デバイス１０００は、第１デバイス１０００の周辺の音声変化を感知することができる。
【００８５】
また、第１デバイス１０００は、各種センサを利用して、第１デバイス１０００の周辺状況に係わる情報を獲得することができる。センサは、例えば、ジャイロセンサ、地磁気センサ、加速度センサ、重力センサ、光センサ、近接センサ、気圧計、動作認識センサ、羅針盤、ＲＧＢセンサのうち少なくとも一つを含んでもよい。第１デバイス１０００は、各種センサを介して感知された値の変化をモニタリングすることができる。
【００８６】
段階Ｓ４２０で、第１デバイス１０００は、通話要請に係わる情報を伝送するか否かということを決定する。第１デバイス１０００は、獲得された状況情報に基づいて、第１デバイス１０００周辺に、ユーザが位置するか否かということを判断し、第１デバイス１０００周辺のユーザが、第１デバイス１０００に登録されたユーザであるか否かということを判断することができる。
【００８７】
例えば、ユーザが、第１デバイス１０００を手にしたり、あるいは第１デバイス１０００の位置に移動することにより、第１デバイス１０００で撮影された映像の明るさが暗くなるか、あるいは録音された音声の大きさが大きくなれば、第１デバイス１０００は、第１デバイス１０００の周辺に、ユーザが位置すると判断することができる。また、ユーザが、第１デバイス１０００を手にし、第１デバイス１０００を動かすことにより、第１デバイス１０００は、動作センサを利用して、第１デバイス１０００の動きを感知することができ、第１デバイス１０００は、動きが感知されれば、第１デバイス１０００の周辺に、ユーザが位置すると判断することができる。
【００８８】
また、第１デバイス１０００は、撮影された映像内のユーザの顔を感知し、撮影された映像内のユーザが、第１デバイス１０００に登録されたユーザであるか否かということを判断することができる。第１デバイス１０００は、撮影された映像内のユーザの顔の形状、目の形状、鼻の形状、口の形状、目の位置、鼻の位置及び口の位置に基づいて、撮影された映像内のユーザが、第１デバイス１０００に登録されたユーザであるか否かということを確認することができる。
【００８９】
また、撮影された映像内のユーザが、第１デバイス１０００に登録されたユーザであるか否かということは、第１デバイス１０００のメモリに保存されたユーザ情報に基づいて判断される。その場合、第１デバイス１０００に登録されたユーザを撮影したイメージが、第１デバイス１０００のメモリに保存される。また、撮影された映像内のユーザが、第１デバイス１０００に登録されたユーザであるか否かということは、別途のサーバ（図示せず）に保存されたユーザ情報に基づいて判断される。例えば、第１デバイス１０００に対応するＳＮＳサービス提供サーバに保存されたユーザイメージに基づいて、撮影された映像内のユーザが、第１デバイス１０００に登録されたユーザであるか否かということが判断される。
【００９０】
また、第１デバイス１０００は、録音された音声が、第１デバイス１０００に登録されたユーザの音声であるか否かということを判断することもできる。その場合、第１デバイス１０００に登録されたユーザの音声が、第１デバイス１０００、または別途のサーバ（図示せず）にあらかじめ保存される。
【００９１】
また、第１デバイス１０００は、第１デバイス１０００周辺に、ユーザが位置しないと判断されるか、あるいはユーザが、第１デバイス１０００に登録されたユーザではなければ、通話要請に係わる情報を、第３デバイス３０００に伝送するように決定することができる。
【００９２】
段階Ｓ４３０で、第１デバイス１０００は、第２デバイス２０００からの通話要請を処理する第３デバイス３０００を決定する。第１デバイス１０００は、周辺のデバイスのうち、第２デバイス２０００と通話を行う少なくとも１つの第３デバイス３０００を検索して選択することができる。
【００９３】
具体的には、第１デバイス１０００は、サーバ（図示せず）に、第１デバイス１０００と連結可能なデバイスに係わるデバイス情報を要請し、サーバ（図示せず）から受信されたデバイス情報に基づいて、第３デバイス３０００を検索することができる。その場合、第１デバイス１０００と連結可能なデバイスに係わる情報は、サーバ（図示せず）にあらかじめ保存される。また、サーバ（図示せず）は、宅外に位置したサーバであるか、あるいはホームネットワークのための宅内のゲートウェイでもあるが、それらに制限されるものではない。
【００９４】
また、デバイス情報は、デバイスに係わる各種の情報を含む。デバイス情報は、デバイスの種類、デバイスに含まれた機能に係わる情報を含んでもよい。デバイスに含まれた機能は、例えば、カメラを利用した撮影機能、マイクを介した音声入力機能、スピーカを介した音声出力機能、通信機能、印刷機能及びディスプレイ機能のうち少なくとも一つを含んでもよい。
【００９５】
また、第１デバイス１０００は、要請されたコミュニケーションの種類によって、第３デバイス３０００を決定することができる。例えば、第１デバイス１０００が、第２デバイス２０００から映像通話要請を受信した場合、第１デバイス１０００は、周辺のデバイスのうち、撮影機能、音声入力機能、音声出力機能、ディスプレイ機能を含むＴＶを、第３デバイス３０００として決定することができる。また、例えば、第１デバイス１０００が、第２デバイス２０００から音声通話要請を受信した場合、第１デバイス１０００は、周辺のデバイスのうち、音声入力機能、音声出力機能を含む携帯電話を第３デバイス３０００として決定することができる。
【００９６】
また、第１デバイス１０００は、少なくとも１つの第３デバイス３０００を検索することができ、検索された全ての第３デバイス３０００に、通話と係わる情報を提供することを決定することができる。また、第１デバイス１０００は、検索された少なくとも１つの第３デバイス３０００のうち所定のデバイスを、通話と係わる情報を提供するデバイスとして選択することができる。その場合、検索された少なくとも１つの第３デバイス３０００は、第３デバイス３０００の周辺に、ユーザが位置するか否かということを確認することができ、第１デバイス１０００は、ユーザが周辺に位置した第３デバイス３０００を、通話と係わる情報を提供するデバイスとして選択することができる。その場合、第３デバイス３０００は、第３デバイス３０００に含まれたカメラ、マイク及び各種のセンサを利用して、第３デバイス３０００の周辺に、ユーザが位置するか否かということを確認することができる。
【００９７】
また、第１デバイス１０００は、周辺に位置したデバイスに、デバイス情報の提供を要請し、周辺のデバイスから受信されたデバイス情報に基づいて、第３デバイス３０００を決定することもできる。その場合、第１デバイス１０００は、周辺に位置したデバイスに、デバイス情報提供の要請をブロードキャスティングすることができるが、それに制限されるものではない。また、第１デバイス１０００は、宅内に位置したデバイスに、デバイス情報の提供を要請することができるが、それに制限されるものではない。
【００９８】
段階Ｓ４４０で、第１デバイス１０００は、第３デバイス３０００に、発信情報を伝送する。例えば、第１デバイス１０００は、第２デバイス２０００の電話番号、電話受信視覚、第２デバイス２０００のユーザ名についての情報を、第３デバイス３０００に提供することができる。
【００９９】
段階Ｓ４５０で、第３デバイス３０００は、受信された発信情報を表示する。第３デバイス３０００は、第１デバイス１０００から受信された発信情報を、第３デバイス３０００の画面にディスプレイすることができる。
【０１００】
段階Ｓ４６０で、第３デバイス３０００は、第２デバイス２０００との通話を受諾する。第３デバイス３０００は、ユーザ入力に基づいて、第２デバイス２０００と通話を行うか否かということを決定することができる。
【０１０１】
段階Ｓ４７０ないし段階Ｓ４８５を介して、第２デバイス２０００及び第３デバイス３０００は、第１デバイス１０００を経由して、通話情報を送受信することにより、互いに通話を行うことができる。
【０１０２】
具体的には、段階Ｓ４７０で、第１デバイス１０００は、第２デバイス２０００から通話情報を受信し、段階Ｓ４７５で、第１デバイス１０００は、受信された通話情報を、第３デバイス３０００に伝送する。その場合、第１デバイス１０００は、第２デバイス２０００から受信された通話情報を、第３デバイス３０００が処理することができる形式に変換し、変換された通話情報を、第３デバイス３０００に提供することができる。
【０１０３】
また、段階Ｓ４８０で、第１デバイス１０００は、第３デバイス３０００から通話情報を受信し、段階Ｓ４８５で、第１デバイス１０００は、受信された通話情報を、第２デバイス２０００に伝送する。その場合、第１デバイス１０００は、第３デバイス３０００から受信された通話情報を、第２デバイス２０００が処理することができる形式に変換し、変換された通話情報を、第２デバイス２０００に提供することができる。
【０１０４】
図６は、本発明の一実施形態による、第２デバイス２０００が、第１デバイス１０００にメッセージを伝送する場合、第２デバイス２０００及び第３デバイス３０００が、第１デバイス１０００を経由して、メッセージを送受信する方法のフローチャートである。
【０１０５】
段階Ｓ５００で、第１デバイス１０００は、第２デバイス２０００からメッセージを受信する。メッセージは、電子メール、ＳＭＳ、ＭＭＳ、メッセンジャプログラムを介して伝送されるメッセージを含んでもよい。
【０１０６】
段階Ｓ５１０で、第１デバイス１０００は、第１デバイス１０００の周辺状況情報を獲得する。第１デバイス１０００は、第１デバイス１０００に含まれたカメラ、マイク及びセンサのうち少なくとも一つを利用することにより、第１デバイス１０００の周辺状況に係わる情報を獲得することができる。
【０１０７】
段階Ｓ５２０で、第１デバイス１０００は、メッセージ情報を伝送するか否かということを決定する。第１デバイス１０００は、獲得された状況情報に基づいて、第１デバイス１０００周辺に、ユーザが位置するか否かということを判断し、第１デバイス１０００周辺のユーザが、第１デバイス１０００に登録されたユーザであるか否かということを判断することができる。第１デバイス１０００は、第１デバイス１０００周辺に、ユーザが位置しないと判断されるか、あるいはユーザが、第１デバイス１０００に登録されたユーザではなければ、メッセージ情報を、第３デバイス３０００に伝送するように決定することができる。
【０１０８】
段階Ｓ５３０で、第１デバイス１０００は、第２デバイス２０００からのメッセージを処理する第３デバイス３０００を決定する。第１デバイス１０００は、第２デバイス２０００とメッセージを送受信したり、あるいは第２デバイス２０００からのメッセージを出力したりする第３デバイス３０００を決定する。第１デバイス１０００は、周辺のデバイスのうち少なくとも１つの第３デバイス３０００を検索して選択することができる。
【０１０９】
また、例えば、第１デバイス１０００が、第２デバイス２０００からメッセージを受信した場合、第１デバイス１０００は、周辺のデバイスのうち、ディスプレイ機能及びネットワーク通信機能を含むノート型パソコンを、第３デバイス３０００として決定することができる。また、例えば、第１デバイス１０００が、第２デバイス２０００からメッセージを受信した場合、第１デバイス１０００は、周辺のデバイスのうち印刷機能を含むプリンタを、第３デバイス３０００として決定することができる。
【０１１０】
段階Ｓ５４０で、第１デバイス１０００は、第３デバイス３０００にメッセージを伝送する。第１デバイス１０００は、第２デバイス２０００から受信されたメッセージを、第３デバイス３０００が処理することができる形式に変換することができる。また、第１デバイス１０００は、変換されたメッセージを、第３デバイス３０００に提供することができる。
【０１１１】
段階Ｓ５５０で、第３デバイス３０００は、受信されたメッセージを出力する。第３デバイス３０００は、第１デバイス１０００から受信されたメッセージを、第３デバイス３０００の画面にディスプレイすることができる。また、第３デバイス３０００に印刷機能が含まれた場合には、第３デバイス３０００は、第１デバイス１０００から受信されたメッセージを印刷することもできる。
【０１１２】
段階Ｓ５６０ないし段階Ｓ５７０で、第３デバイス３０００は、第１デバイス１０００を経由して、メッセージを第２デバイス２０００に提供することができる。具体的には、段階Ｓ５５０で、第３デバイス３０００は、第２デバイス２０００に提供するメッセージを、第１デバイス１０００に伝送することができる。また、段階Ｓ５６０で、第１デバイス１０００は、第３デバイス３０００から受信されたメッセージを、第２デバイス２０００に伝送することができる。その場合、第１デバイス１０００は、第３デバイス３０００から受信されたメッセージを、第２デバイス２０００が処理することができる形式に変換することができる。また、第１デバイス１０００は、変換されたメッセージを、第２デバイス２０００に提供することができる。
【０１１３】
図７は、本発明の一実施形態によるコミュニケーション情報伝送システムにおいて、第２デバイス２０００及び第３デバイス３０００が、直接コミュニケーション情報を送受信する一例を図示した図面である。
【０１１４】
図７に図示されているように、第２デバイス２０００が、第１デバイス１０００に通話要請をしたり、あるいはメッセージを伝送すれば、第１デバイス１０００は、第２デバイス２０００の発信情報またはメッセージ情報を、第３デバイス３０００に伝送することができる。また、その後、第２デバイス２０００と第３デバイス３０００は、第１デバイス１０００を経由せずに互いに通話を行ったり、あるいはメッセージを送受信したりすることができる。
【０１１５】
その場合、発信情報及びメッセージ情報には、第３デバイス３０００をして、第２デバイス２０００と連結させるための連結情報が含まれてもよい。また、該連結情報は、第２デバイス２０００のインターネット電話番号及びＩＰ（internet  protocol)アドレスのうち少なくとも一つを含んでもよい。第３デバイス３０００が、第２デバイス２０００の電話番号を受信する場合には、第３デバイス３０００は、受信された電話番号を利用して、ソフトスイッチシステム（図示せず）を介して、第２デバイス２０００のＩＰアドレスを獲得し、獲得されたＩＰアドレスを利用して、第２デバイス２０００とインターネット電話通話を行うことができる。また、第３デバイス３０００が、第１デバイス１０００から、第２デバイス２０００のＩＰアドレスを受信した場合には、受信されたＩＰアドレスを利用して、第２デバイス２０００とインターネット電話通話を行うことができる。
【０１１６】
もし第３デバイス３０００が、移動通信網を介して移動通信を遂行することができる場合には、第３デバイス３０００は、第２デバイス２０００の電話番号を利用して、第２デバイス２０００と移動通信を遂行することもできる。
【０１１７】
図８は、本発明の一実施形態による、第２デバイス２０００が、第１デバイス１０００に通話を要請する場合、第２デバイス２０００及び第３デバイス３０００が、直接通話を行う方法のフローチャートである。
【０１１８】
図８の段階Ｓ７００ないし段階Ｓ７６０は、図５の段階Ｓ４００ないし段階Ｓ４６０に対応し、以下では、段階Ｓ７７０ないし段階Ｓ７９０について説明する。ただし、段階Ｓ７４０で、第１デバイス１０００が、第３デバイス３０００に提供する発信情報には、第３デバイス３０００を第２デバイス２０００と連結させるための連結情報が含まれてもよい。また、該連結情報は、第２デバイス２０００のインターネット電話番号及びＩＰアドレスのうち少なくとも一つを含んでもよい。
【０１１９】
段階Ｓ７７０で、第３デバイス３０００は、第２デバイス２０００と連結される。第３デバイス３０００は、第１デバイス１０００から受信された発信情報を利用して、第２デバイス２０００に通話連結を要請することができるが、それに制限されるものではない。
【０１２０】
もし第３デバイス３０００が、第２デバイス２０００の電話番号を受信する場合には、第３デバイス３０００は、受信された電話番号を利用し、てソフトスイッチシステム（図示せず）を介して、第２デバイス２０００のＩＰアドレスを獲得し、獲得されたＩＰアドレスを利用して、第２デバイス２０００とインターネット電話通話を行うことができる。また、第３デバイス３０００が、第１デバイス１０００から第２デバイス２０００のＩＰアドレスを受信した場合には、受信されたＩＰアドレスを利用して、第２デバイス２０００とインターネット電話通話を行うことができる。
【０１２１】
もし第３デバイス３０００が、移動通信網を介して、移動通信を遂行することができる場合には、第３デバイス３０００は、第２デバイス２０００の電話番号を利用して、第２デバイス２０００と移動通信を遂行することもできる。
【０１２２】
段階Ｓ７８０で、第３デバイス３０００は、第２デバイス２０００に通話情報を提供することができ、段階Ｓ７９０で、第２デバイス２０００は、第３デバイス３０００に通話情報を提供することができる。第２デバイス２０００と第３デバイス３０００との間で、映像通話が遂行される場合、該通話情報は、映像情報及び音声情報を含んでもよい。また、第２デバイス２０００と第３デバイス３０００との間で、音声通話が遂行される場合、該通話情報は、音声情報を含んでもよい。
【０１２３】
図９は、本発明の一実施形態による、第２デバイス２０００が第１デバイス１０００にメッセージを伝送する場合、第２デバイス２０００及び第３デバイス３０００が、直接メッセージを送受信する方法のフローチャートである。
図９の段階Ｓ８００ないし段階Ｓ８３０は、図６の段階Ｓ５００ないし段階Ｓ５３０に対応し、以下では、段階Ｓ８４０ないし段階Ｓ８８０について説明する。
【０１２４】
段階Ｓ８４０で、第１デバイス１０００は、第３デバイス３０００に、第２デバイス２０００に係わるデバイス情報及びメッセージを伝送する。第１デバイス１０００は、第２デバイス２０００から受信されたメッセージ、第２デバイス２０００の電話番号、及び第２デバイス２０００と通信可能な接続情報を、第３デバイス３０００に提供することができる。
【０１２５】
段階Ｓ８５０で、第３デバイス３０００は、受信されたメッセージを出力する。第３デバイス３０００は、第１デバイス１０００から受信されたメッセージを、第３デバイス３０００の画面にディスプレイすることができる。また、第３デバイス３０００に印刷機能が含まれた場合には、第３デバイス３０００は、第１デバイス１０００から受信されたメッセージを印刷することもできる。
【０１２６】
段階Ｓ８６０で、第３デバイス３０００は、第２デバイス２０００と連結される。第３デバイス３０００は、第１デバイス１０００から受信された第２デバイス２０００に係わるデバイス情報を利用して、第２デバイス２０００と連結される。
【０１２７】
段階Ｓ８７０で、第３デバイス３０００は、第２デバイス２０００にメッセージを伝送することができ、段階Ｓ８８０で、第２デバイス２０００は、第３デバイス３０００にメッセージを伝送することができる。
図１０は、本発明の一実施形態による、第１デバイス１０００が状況情報を獲得する方法のフローチャートである。
【０１２８】
段階Ｓ２１２で、第１デバイス１０００は、第１デバイス１０００周辺を撮影する。第１デバイス１０００は、カメラを利用して、第１デバイス１０００の周辺を撮影することができる。その場合、第１デバイス１０００は、第２デバイス２０００から通話要請が受信されることによって、カメラアプリケーションを実行することができ、実行されたカメラアプリケーションを制御することによって、第１デバイス１０００の周辺を撮影することができる。また、第１デバイス１０００は、第１デバイス１０００が置かれた状態によって、第１デバイス１０００の前面に位置したカメラを活性化させるか、あるいは第１デバイス１０００の背面に位置したカメラを活性化させるかということを決定することができる。
【０１２９】
段階Ｓ２１４で、第１デバイス１０００は、第１デバイス１０００の周辺音声を録音する。第１デバイス１０００は、マイクを利用して、第１デバイス１０００周辺の音声を録音することができる。その場合、第１デバイス１０００は、第２デバイス２０００から通話要請が受信されることによって、音声録音アプリケーションを実行することができ、実行された音声録音アプリケーションを制御することによって、第１デバイス１０００の周辺を音声を録音することができる。第１デバイス１０００は、録音された音声の大きさ変化をモニタリングすることができる。例えば、ユーザが、第１デバイス１０００を手にする場合、第１デバイス１０００は、第１デバイス１０００の周辺の音声変化を感知することができる。
【０１３０】
段階Ｓ２１６で、第１デバイス１０００は、第１デバイス１０００の周辺状況を、センサを利用して感知する。第１デバイス１０００は、各種センサを利用して、第１デバイス１０００の周辺状況に係わる情報を獲得することができる。その場合、第１デバイス１０００は、第２デバイス２０００から通話要請が受信されることによって、センサアプリケーションを実行することができ、実行されたセンサアプリケーションを制御することによって、第１デバイス１０００の周辺に係わる状況情報を獲得することができる。該センサは、例えば、ジャイロセンサ、地磁気センサ、加速度センサ、重力センサ、光センサ、近接センサ、気圧計、動作認識センサ、羅針盤、ＲＧＢセンサのうち少なくとも一つを含んでもよい。第１デバイス１０００は、各種センサを介して感知された値の変化をモニタリングすることができる。
【０１３１】
図１１は、本発明の一実施形態による、第１デバイス１０００がコミュニケーションの要請に係わる情報を、第３デバイス３０００に伝送するか否かということを決定する方法のフローチャートである。
【０１３２】
段階Ｓ２２２で、第１デバイス１０００は、第１デバイス１０００の周辺に、ユーザが位置するか否かということを判断する。第１デバイス１０００は、獲得された状況情報に基づいて、第１デバイス１０００周辺に、ユーザが位置するか否かということを判断することができる。例えば、ユーザが、第１デバイス１０００を手にしたり、あるいは第１デバイス１０００の位置に移動することにより、第１デバイス１０００で撮影された映像の明るさが暗くなるか、あるいは録音された音声の大きさが大きくなれば、第１デバイス１０００は、第１デバイス１０００の周辺に、ユーザが位置すると判断することができる。また、撮影された映像内にユーザが含まれた場合、第１デバイス１０００は、第１デバイス１０００の周辺に、ユーザが位置すると判断することができる。また、ユーザが、第１デバイス１０００を手にし、第１デバイス１０００を動かすことにより、第１デバイス１０００は、動作センサを利用して、第１デバイス１０００の動きを感知することができ、第１デバイス１０００は、動きが感知されれば、第１デバイス１０００の周辺に、ユーザが位置すると判断することができる。
【０１３３】
段階Ｓ２２２での判断結果、第１デバイス１０００の周辺に、ユーザが位置すると判断されれば、第１デバイス１０００は、段階Ｓ２２４を遂行する。また、第１デバイス１０００の周辺に、ユーザが位置しないと判断されれば、第１デバイス１０００は、段階Ｓ２２６を遂行する。
【０１３４】
段階Ｓ２２４で、第１デバイス１０００は、第１デバイス１０００の周辺のユーザが、第１デバイス１０００に登録されたユーザであるか否かということを判断する。第１デバイス１０００は、獲得された状況情報に基づいて、第１デバイス１０００の周辺のユーザが、第１デバイス１０００に登録されたユーザであるか否かということを判断することができる。例えば、第１デバイス１０００は、撮影された映像内のユーザの顔を感知し、撮影された映像内のユーザが、第１デバイス１０００に登録されたユーザであるか否かということを判断することができる。第１デバイス１０００は、撮影された映像内のユーザの顔の形状、目の形状、鼻の形状、口の形状、目の位置、鼻の位置及び口の位置に基づいて、撮影された映像内のユーザが、第１デバイス１０００に登録されたユーザであるか否かということを確認することができる。
【０１３５】
また、撮影された映像内のユーザが、第１デバイス１０００に登録されたユーザであるか否かということは、第１デバイス１０００のメモリに保存されたユーザ情報に基づいて判断される。その場合、第１デバイス１０００に登録されたユーザを撮影したイメージが、第１デバイス１０００のメモリに保存される。また、撮影された映像内のユーザが、第１デバイス１０００に登録されたユーザであるか否かということは、別途のサーバ（図示せず）に保存されたユーザ情報に基づいて判断される。例えば、第１デバイス１０００に対応するＳＮＳサービス提供サーバに保存されたユーザイメージに基づいて、撮影された映像内のユーザが、第１デバイス１０００に登録されたユーザであるか否かということが判断される。
【０１３６】
また、第１デバイス１０００は、録音された音声が、第１デバイス１０００に登録されたユーザの音声であるか否かということを判断することもできる。その場合、第１デバイス１０００に登録されたユーザの音声が、第１デバイス１０００、または別途のサーバ（図示せず）にあらかじめ保存される。
【０１３７】
段階Ｓ２２４での判断結果、第１デバイス１０００の周辺のユーザが、登録されたユーザであると判断されれば、第１デバイス１０００は、段階Ｓ２２８を遂行する。また、第１デバイス１０００の周辺のユーザが、登録されたユーザではないと判断されれば、第１デバイス１０００は、段階Ｓ２２６を遂行する。
【０１３８】
段階Ｓ２２６で、第１デバイス１０００は、コミュニケーション要請に係わる情報を、第３デバイス３０００に伝送するか否かということを決定する。第１デバイス１０００は、第１デバイス１０００周辺に、ユーザが位置しないと判断されるか、あるいはユーザが、第１デバイス１０００に登録されたユーザではなければ、コミュニケーション要請に係わる情報を、第３デバイス３０００に伝送するように決定することができる。
【０１３９】
段階Ｓ２２８で、第１デバイス１０００は、コミュニケーション要請に係わる情報を出力する。第１デバイス１０００は、第１デバイス１０００に含まれたディスプレイ及びスピーカを介して、コミュニケーション要請に係わる情報を出力することができる。
【０１４０】
図１２は、本発明の一実施形態による、第１デバイス１０００が、サーバ（図示せず）から受信されるデバイス情報に基づいて、コミュニケーション要請を処理することができる第３デバイスを決定する方法のフローチャートである。
【０１４１】
段階Ｓ２３２で、第１デバイス１０００は、第１デバイス１０００周辺のデバイスに係わるデバイス情報を、サーバ（図示せず）から受信する。第１デバイス１０００は、サーバ（図示せず）に、第１デバイス１０００と連結可能なデバイスに係わるデバイス情報を要請し、サーバ（図示せず）から、第１デバイス１０００と連結可能なデバイスに係わるデバイス情報を受信することができる。その場合、第１デバイス１０００と連結可能なデバイスに係わる情報は、サーバ（図示せず）にあらかじめ保存される。また、サーバ（図示せず）は、宅外に位置したサーバであるか、あるいはホームネットワークのための宅内のゲートウェイでもあるが、それらに制限されるものではない。
【０１４２】
また、デバイス情報は、デバイスに係わる各種の情報を含む。デバイス情報は、デバイスの種類、デバイスに含まれた機能に係わる情報を含んでもよい。デバイスに含まれた機能は、例えば、カメラを利用した撮影機能、マイクを介した音声入力機能、スピーカを介した音声出力機能、通信機能、印刷機能及びディスプレイ機能のうち少なくとも一つを含んでもよい。
【０１４３】
段階Ｓ２３３で、第１デバイス１０００は、デバイス情報に基づいて、コミュニケーション要請を処理することができる第３デバイス３０００を決定する。第１デバイス１０００は、要請されたコミュニケーションの種類によって、第３デバイス３０００を決定することができる。例えば、第１デバイス１０００が、第２デバイス２０００から映像通話要請を受信した場合、第１デバイス１０００は、周辺のデバイスのうち、撮影機能、音声入力機能、音声出力機能、ディスプレイ機能を含むＴＶを、第３デバイス３０００として決定することができる。また、例えば、第１デバイス１０００が、第２デバイス２０００からメッセージを受信した場合、第１デバイス１０００は、周辺のデバイスのうち、ディスプレイ機能及びネットワーク通信機能を含むノート型パソコンを第３デバイス３０００として決定することができる。また、例えば、第１デバイス１０００が、第２デバイス２０００からメッセージを受信した場合、第１デバイス１０００は、周辺のデバイスのうち、印刷機能を含むプリンタを第３デバイス３０００として決定することができる。
【０１４４】
また、第１デバイス１０００は、少なくとも１つの第３デバイス３０００を検索することができ、検索された全ての第３デバイス３０００に、コミュニケーション情報を提供することを決定することができる。また、第１デバイス１０００は、検索された少なくとも１つの第３デバイス３０００のうち所定のデバイスを、コミュニケーション情報を提供するデバイスとして選択することができる。その場合、検索された少なくとも１つの第３デバイス３０００は、第３デバイス３０００の周辺に、ユーザが位置するか否かということを確認することができ、第１デバイス１０００は、ユーザが周辺に位置した第３デバイス３０００を、コミュニケーション情報を提供するデバイスとして選択することができる。その場合、第３デバイス３０００は、第３デバイス３０００に含まれたカメラ、マイク及び各種のセンサを利用して、第３デバイス３０００の周辺に、ユーザが位置するか否かということを確認することができる。
【０１４５】
図１３は、本発明の一実施形態による、第１デバイス１０００が、第１デバイス１０００の周辺のデバイスから受信されるデバイス情報に基づいて、コミュニケーション要請を処理することができる第３デバイスを決定する方法のフローチャートである。
【０１４６】
Ｓ２３６で、第１デバイス１０００は、第１デバイス１０００周辺のデバイスに、デバイス情報を要請する。第１デバイス１０００は、第１デバイス１０００と連結可能なデバイスに、デバイス情報の要請をブロードキャスティングすることができる。
【０１４７】
段階Ｓ２３７で、第１デバイス１０００は、周辺のデバイスから、デバイス情報を受信する。第１デバイス１０００は、第１デバイス１０００と連結可能なデバイスから、デバイス情報を受信することができる。第１デバイス１０００と連結可能なデバイスは、宅内または宅外に位置したデバイスでもある。
【０１４８】
段階Ｓ２３８で、第１デバイス１０００は、デバイス情報に基づいて、コミュニケーション要請を処理することができる第３デバイス３０００を決定する。第１デバイス１０００は、要請されたコミュニケーションの種類によって、第３デバイス３０００を決定することができる。例えば、第１デバイス１０００が、第２デバイス２０００から映像通話要請を受信した場合、第１デバイス１０００は、周辺のデバイスのうち、撮影機能、音声入力機能、音声出力機能、ディスプレイ機能を含むＴＶを、第３デバイス３０００として決定することができる。また、例えば、第１デバイス１０００が、第２デバイス２０００からメッセージを受信した場合、第１デバイス１０００は、周辺のデバイスのうち、ディスプレイ機能及びネットワーク通信機能を含むノート型パソコンを第３デバイス３０００として決定することができる。また、例えば、第１デバイス１０００が、第２デバイス２０００からメッセージを受信した場合、第１デバイス１０００は、周辺のデバイスのうち、印刷機能を含むプリンタを第３デバイス３０００として決定することができる。
【０１４９】
また、第１デバイス１０００は、少なくとも１つの第３デバイス３０００を検索することができ、検索された全ての第３デバイス３０００に、コミュニケーション情報を提供することを決定することができる。また、第１デバイス１０００は、検索された少なくとも１つの第３デバイス３０００のうち所定のデバイスを、コミュニケーション情報を提供するデバイスとして選択することができる。その場合、検索された少なくとも１つの第３デバイス３０００は、第３デバイス３０００の周辺に、ユーザが位置するか否かということを確認することができ、第１デバイス１０００は、ユーザが周辺に位置した第３デバイス３０００を、コミュニケーション情報を提供するデバイスとして選択することができる。その場合、第３デバイス３０００は、第３デバイス３０００に含まれたカメラ、マイク及び各種のセンサを利用して、第３デバイス３０００の周辺に、ユーザが位置するか否かということを確認することができる。
図１４は、本発明の一実施形態による第１デバイス１０００のブロック図である。
【０１５０】
図１４に図示されているように、本発明の一実施形態による第１デバイス１０００は、コミュニケーション要請受信部１１００、状況情報獲得部１２００、情報伝送決定部１３００、デバイス決定部１４００、コミュニケーション情報提供部１５００、メモリ１６００、送受信部１７００、及び制御部１８００を含む。
【０１５１】
コミュニケーション要請受信部１１００は、第２デバイス２０００から、コミュニケーション要請を受信する。コミュニケーション要請受信部１１００は、第２デバイス２０００から、通話要請を受信したり、あるいはメッセージを受信することができる。通話要請は、音声通話要請及び映像通話要請を含んでもよい。また、該メッセージは、電子メール、ＳＭＳ、ＭＭＳ、メッセンジャプログラムを介して伝送されるメッセージを含んでもよい。コミュニケーション要請受信部１１００が、第２デバイス２０００から通話要請を受信した場合、第１デバイス１０００は、電話ベルを鳴らすことができる。
【０１５２】
状況情報獲得部１２００は、第１デバイス１０００の周辺の状況情報を獲得する。状況情報獲得部１２００は、第１デバイス１０００に含まれたカメラ、マイク及びセンサのうち少なくとも一つを利用することにより、第１デバイス１０００の周辺状況に係わる情報を獲得することができる。
【０１５３】
例えば、状況情報獲得部１２００は、カメラを利用して、第１デバイス１０００の周辺を撮影することができる。第１デバイス１０００が動画を撮影した場合、撮影された動画のフレームを互いに比較し、色または明るさの差を確認することができる。また、状況情報獲得部１２００は、撮影された映像内にユーザが含まれた場合、撮影されたユーザが、第１デバイス１０００のユーザであるか否かということを確認することができる。
【０１５４】
また、例えば、状況情報獲得部１２００は、マイクを利用して、第１デバイス１０００周辺の音声を録音することができる。状況情報獲得部１２００は、録音された音声の大きさ変化をモニタリングすることができる。例えば、ユーザが、第１デバイス１０００を手にする場合、状況情報獲得部１２００は、第１デバイス１０００の周辺の音声変化を感知することができる。
【０１５５】
また、状況情報獲得部１２００は、各種センサを利用して、第１デバイス１０００の周辺状況に係わる情報を獲得することができる。該センサは、例えば、ジャイロセンサ、地磁気センサ、加速度センサ、重力センサ、光センサ、近接センサ、気圧計、動作認識センサ、羅針盤、ＲＧＢセンサのうち少なくとも一つを含んでもよい。状況情報獲得部１２００は、各種センサを介して感知された値の変化をモニタリングすることができる。
【０１５６】
また、状況情報獲得部１２００は、宅内のホームネットワークシステム（図示せず）を介して、第１デバイス１０００の周辺状況に係わる情報を獲得することもできる。ホームネットワークシステム（図示せず）は、セキュリティシステムを含んでもよいが、それに制限されるものではない。ホームネットワークシステム（図示せず）は、ゲートウェイ（図示せず）、第１デバイス１０００、第３デバイス３０００及び宅内の各種機器を含んでもよい。また、宅内の各種機器は、監視カメラ、音声収集装置、温度センサ及び湿度センサを含んでもよい。ゲートウェイ（図示せず）は、宅内の各種機器を介して、宅内の状況情報を獲得することができる。例えば、ゲートウェイ（図示せず）は、監視カメラから撮影される映像、音声収集装置を介して獲得される音声、並びに温度センサ及び湿度センサを介して獲得されるセンシング情報を受信することができる。また、状況情報獲得部１２００は、ゲートウェイ（図示せず）によって獲得された状況情報を、ゲートウェイ（図示せず）から受信することができる。
【０１５７】
情報伝送決定部１３００は、コミュニケーション要請に係わる情報を伝送するか否かということを決定する。情報伝送決定部１３００は、獲得された状況情報に基づいて、第１デバイス１０００周辺に、ユーザが位置するか否かということを判断し、第１デバイス１０００周辺のユーザが、第１デバイス１０００に登録されたユーザであるか否かということを判断することができる。
【０１５８】
例えば、ユーザが、第１デバイス１０００を手にしたり、あるいは第１デバイス１０００の位置に移動することにより、第１デバイス１０００で撮影された映像の明るさが暗くなるか、あるいは録音された音声の大きさが大きくなれば、情報伝送決定部１３００は、第１デバイス１０００の周辺に、ユーザが位置すると判断することができる。また、ユーザが、第１デバイス１０００を手にし、第１デバイス１０００を動かすことにより、情報伝送決定部１３００は、動作センサを利用して、第１デバイス１０００の動きを感知することができ、情報伝送決定部１３００は、動きが感知されれば、第１デバイス１０００の周辺に、ユーザが位置すると判断することができる。
【０１５９】
また、情報伝送決定部１３００は、撮影された映像内のユーザの顔を感知し、撮影された映像内のユーザが、第１デバイス１０００に登録されたユーザであるか否かということを判断することができる。情報伝送決定部１３００は、撮影された映像内のユーザの顔の形状、目の形状、鼻の形状、口の形状、目の位置、鼻の位置及び口の位置に基づいて、撮影された映像内のユーザが、第１デバイス１０００に登録されたユーザであるか否かということを確認することができる。
【０１６０】
また、撮影された映像内のユーザが、第１デバイス１０００に登録されたユーザであるか否かということは、第１デバイス１０００のメモリに保存されたユーザ情報に基づいて判断される。その場合、第１デバイス１０００に登録されたユーザを撮影したイメージが、第１デバイス１０００のメモリに保存される。また、撮影された映像内のユーザが、第１デバイス１０００に登録されたユーザであるか否かということは、別途のサーバ（図示せず）に保存されたユーザ情報に基づいて判断される。例えば、第１デバイス１０００に対応するＳＮＳサービス提供サーバに保存されたユーザイメージに基づいて、撮影された映像内のユーザが、第１デバイス１０００に登録されたユーザであるか否かということが判断される。
【０１６１】
また、情報伝送決定部１３００は、録音された音声が、第１デバイス１０００に登録されたユーザの音声であるか否かということを判断することもできる。その場合、第１デバイス１０００に登録されたユーザの音声が、第１デバイス１０００、または別途のサーバ（図示せず）にあらかじめ保存される。
【０１６２】
また、情報伝送決定部１３００は、第１デバイス１０００周辺に、ユーザが位置しないと判断されるか、あるいはユーザが、第１デバイス１０００に登録されたユーザではなければ、コミュニケーション要請に係わる情報を、第３デバイス３０００に伝送するように決定することができる。
【０１６３】
一方、情報伝送決定部１３００は、ゲートウェイ（図示せず）から受信されるユーザの位置情報に基づいて、ユーザが、第１デバイス１０００の周辺に位置するか否かということを判断することもできる。その場合、ゲートウェイ（図示せず）は、宅内の各種機器を介して獲得される状況情報に基づいて、宅内のユーザの位置情報を生成することができる。例えば、ゲートウェイ（図示せず）は、監視カメラから撮影される映像、音声収集装置を介して獲得される音声、並びに温度センサ及び湿度センサを介して獲得されるセンシング情報を利用して、宅内にユーザが位置した所についての位置情報を生成することができる。また、ユーザの位置情報は、ユーザが宅内で、いずれのデバイスの周辺に位置するかということについての情報を含んでもよい。
【０１６４】
また、情報伝送決定部１３００は、ゲートウェイ（図示せず）によって生成された位置情報を受信し、受信された位置情報に基づいて、ユーザが、第１デバイス１０００の周辺に位置するか否かということを判断することもできる。
【０１６５】
デバイス決定部１４００は、コミュニケーション要請を処理する第３デバイス３０００を決定する。デバイス決定部１４００は、周辺のデバイスのうち、コミュニケーション要請を処理する少なくとも１つの第３デバイス３０００を検索して選択することができる。コミュニケーション要請の処理は、コミュニケーション要請に係わる情報を表示したり、あるいは第２デバイス２０００とコミュニケーションを遂行することができるということを意味する。
【０１６６】
具体的には、デバイス決定部１４００は、サーバ（図示せず）に、第１デバイス１０００と連結可能なデバイスに係わるデバイス情報を要請し、サーバ（図示せず）から受信されたデバイス情報に基づいて、第３デバイス３０００を検索することができる。その場合、第１デバイス１０００と連結可能なデバイスに係わる情報は、サーバ（図示せず）にあらかじめ保存される。また、サーバ（図示せず）は、宅外に位置したサーバであるか、あるいはホームネットワークのための宅内のゲートウェイでもあるが、それらに制限されるものではない。
【０１６７】
また、該デバイス情報は、デバイスに係わる各種の情報を含む。該デバイス情報は、デバイスの種類、デバイスに含まれた機能に係わる情報を含んでもよい。デバイスに含まれた機能は、例えば、カメラを利用した撮影機能、マイクを介した音声入力機能、スピーカを介した音声出力機能、通信機能、印刷機能及びディスプレイ機能のうち少なくとも一つを含んでもよい。
【０１６８】
また、デバイス決定部１４００は、要請されたコミュニケーションの種類によって、第３デバイス３０００を決定することができる。例えば、第１デバイス１０００が、第２デバイス２０００から映像通話要請を受信した場合、デバイス決定部１４００は、周辺のデバイスのうち、撮影機能、音声入力機能、音声出力機能、ディスプレイ機能を含むＴＶを、第３デバイス３０００として決定することができる。また、例えば、第１デバイス１０００が、第２デバイス２０００からメッセージを受信した場合、デバイス決定部１４００は、周辺のデバイスのうち、ディスプレイ機能及びネットワーク通信機能を含むノート型パソコンを第３デバイス３０００として決定することができる。また、例えば、第１デバイス１０００が、第２デバイス２０００からメッセージを受信した場合、デバイス決定部１４００は、周辺のデバイスのうち、印刷機能を含むプリンタを第３デバイス３０００として決定することができる。
【０１６９】
また、デバイス決定部１４００は、少なくとも１つの第３デバイス３０００を検索することができ、検索された全ての第３デバイス３０００に、コミュニケーション情報を提供することを決定することができる。また、デバイス決定部１４００は、検索された少なくとも１つの第３デバイス３０００のうち所定のデバイスを、コミュニケーション情報を提供するデバイスとして選択することができる。その場合、検索された少なくとも１つの第３デバイス３０００は、第３デバイス３０００の周辺に、ユーザが位置するか否かということを確認することができ、第１デバイス１０００は、ユーザが周辺に位置した第３デバイス３０００を、コミュニケーション情報を提供するデバイスとして選択することができる。その場合、第３デバイス３０００は、第３デバイス３０００に含まれたカメラ、マイク及び各種のセンサを利用して、第３デバイス３０００の周辺に、ユーザが位置するか否かということを確認することができる。
【０１７０】
また、デバイス決定部１４００は、周辺に位置したデバイスに、デバイス情報の提供を要請し、周辺のデバイスから受信されたデバイス情報に基づいて、第３デバイス３０００を決定することもできる。その場合、デバイス決定部１４００は、周辺に位置したデバイスに、デバイス情報提供の要請をブロードキャスティングすることができるが、それに制限されるものではない。また、デバイス決定部１４００は、宅内に位置したデバイスに、デバイス情報の提供を要請することができるが、それらに制限されるものではない。
【０１７１】
また、デバイス決定部１４００は、要請されたコミュニケーションの種類によって、コミュニケーション情報を伝送する第３デバイス３０００をあらかじめ設定することもできる。また、デバイス決定部１４００は、ユーザ入力に基づいて、要請されたコミュニケーションの種類に対応する第３デバイス３０００を決定することもできる。
【０１７２】
一方、第１デバイス１０００が、ゲートウェイ（図示せず）からユーザの位置情報を受信する場合、デバイス決定部１４００は、受信された位置情報に基づいて、第３デバイス３０００を決定することもできる。ゲートウェイ（図示せず）から受信されるユーザの位置情報は、ユーザが宅内で、いずれのデバイスの周辺に位置するかということについての情報を含んでもよい。また、デバイス決定部１４００は、ユーザ周辺のデバイスのうち、コミュニケーション要請を処理することができるデバイスを、第３デバイス３０００として決定することができる。
【０１７３】
コミュニケーション情報提供部１５００は、コミュニケーション要請に係わる情報を、第３デバイス３０００に伝送する。第１デバイス１０００が、第２デバイス２０００から通話要請を受信した場合、コミュニケーション情報提供部１５００は、第３デバイス３０００に、第２デバイス２０００の発信情報を提供することができる。また、コミュニケーション情報提供部１５００は、第３デバイス３０００と第２デバイス２０００とが互いに通話を行うように、通話と係わる音声情報または映像情報を中継することができる。
【０１７４】
また、第１デバイス１０００が、第２デバイス２０００からメッセージを受信する場合、コミュニケーション情報提供部１５００は、第３デバイス３０００に、受信されたメッセージ、第２デバイス２０００の電話番号、及び第２デバイス２０００と通信可能な接続情報のうち少なくとも一つを提供することができる。また、コミュニケーション情報提供部１５００は、第３デバイス３０００から受信されたメッセージを、第２デバイス２０００に提供することもできる。
【０１７５】
また、コミュニケーション情報提供部１５００は、コミュニケーション要請に係わる情報を、第３デバイス３０００で処理することができる形式に変換し、変換された情報を、第３デバイス３０００に提供することができる。また、コミュニケーション情報提供部１５００は、第３デバイス３０００から提供されるコミュニケーション情報を、第２デバイス２０００が処理することができる形式に変換し、変換された情報を、第２デバイス２０００に提供することができる。
【０１７６】
メモリ１６００は、第１デバイス１０００が、状況情報に基づいて、所定の第３デバイス３０００に、コミュニケーション情報を提供し、第２デバイス２０００と第３デバイス３０００とのコミュニケーションを中継することができるように、各種の情報を保存する。メモリ１６００は、例えば、ユーザが、第１デバイス１０００の周辺に位置するか否かということを判断するための設定値、登録されたユーザに係わるユーザ情報、及び第３デバイス３０００を選択するための設定値、第１デバイス１０００と連結可能なデバイスに係わるデバイス情報を保存することができるが、それらに制限されるものではない。
【０１７７】
送受信部１７００は、第１デバイス１０００が、状況情報に基づいて、所定の第３デバイス３０００に、コミュニケーション情報を提供し、第２デバイス２０００と第３デバイス３０００とのコミュニケーションを中継することができるように、各種の情報を第２デバイス２０００及び第３デバイス３０００と送受信する。
【０１７８】
制御部１８００は、第１デバイス１０００が、状況情報に基づいて、所定の第３デバイス３０００に、コミュニケーション情報を提供し、第２デバイス２０００と第３デバイス３０００とのコミュニケーションを中継することができるように、コミュニケーション要請受信部１１００、状況情報獲得部１２００、情報伝送決定部１３００、デバイス決定部１４００、コミュニケーション情報提供部１５００、メモリ１６００及び送受信部１７００を制御する。
【０１７９】
また、コミュニケーション要請受信部１１００、状況情報獲得部１２００、情報伝送決定部１３００、デバイス決定部１４００、コミュニケーション情報提供部１５００は、第１デバイス１０００に含まれたソフトウェアモジュールによって、それぞれの動作を遂行することができるが、それらに制限されるものではない。
図１５は、本発明の一実施形態による状況情報獲得部１２００の詳細ブロック図である。
図１５に図示されているように、本発明の一実施形態による状況情報獲得部１２００は、撮影部１２１０、録音部１２２０及びセンシング部（１２３０を含む。
【０１８０】
撮影部１２１０は、第１デバイス１０００の周辺を撮影する。撮影部１２１０は、カメラを利用して、第１デバイス１０００の周辺を撮影することができる。その場合、撮影部１２１０は、第２デバイス２０００から、通話要請が受信されることにより、カメラアプリケーションを実行することができ、実行されたカメラアプリケーションを制御することにより、て第１デバイス１０００の周辺を撮影することができる。また、撮影部１２１０は、第１デバイス１０００が置かれた状態によって、第１デバイス１０００の前面に位置したカメラを活性化させるか、あるいは第１デバイス１０００の背面に位置したカメラを活性化させるかということを決定することができる。
【０１８１】
録音部１２２０は、第１デバイス１０００の周辺音声を録音する。録音部１２２０は、マイクを利用して、第１デバイス１０００周辺の音声を録音することができる。その場合、録音部１２２０は、第２デバイス２０００から、通話要請が受信されることにより、音声録音アプリケーションを実行することができ、実行された音声録音アプリケーションを制御することにより、第１デバイス１０００の周辺を音声を録音することができる。
【０１８２】
センシング部１２３０は、第１デバイス１０００の周辺状況を、センサを利用して感知する。センシング部１２３０は、各種センサを利用して、第１デバイス１０００の周辺状況に係わる情報を獲得することができる。その場合、センシング部１２３０は、第２デバイス２０００から、通話要請が受信されることにより、センサアプリケーションを実行することができ、実行されたセンサアプリケーションを制御することにより、第１デバイス１０００の周辺に係わる状況情報を獲得することができる。該センサは、例えば、ジャイロセンサ、地磁気センサ、加速度センサ、重力センサ、光センサ、近接センサ、気圧計、動作認識センサ、羅針盤、ＲＧＢセンサのうち少なくとも一つを含んでもよい。
図１６は、本発明の他の実施形態による第１デバイス１０００のブロック図である。
【０１８３】
移動通信部１００１は、３Ｇ（３rd  generation）／４Ｇ（４th  generation）のようなセルラネットワークを介して、基地局とのコール設定、データ通信などを行う。サーブ通信部１００２は、ブルートゥース（Bluetooth(登録商標)）やＮＦＣ（near  field  communication）など近距離通信のための機能を遂行する。放送部１００３は、ＤＭＢ（digital  multimedia  broadcasting）放伝送号を受信する。
カメラ部１００４は、写真や動画を撮影するためのレンズ及び光学素子を含む。
【０１８４】
センサ部１００５は、第１デバイスの動きを感知する重力センサ、光の明るさを感知する照度センサ、人の近接度を感知する近接センサ、人の動きを感知するモーションセンサなどを含んでもよい。
ＧＰＳ受信部１００６は、人工衛星からＧＰＳ信号を受信する。このようなＧＰＳ信号を利用して、多様なサービスがユーザに提供される。
【０１８５】
入出力部１０１０は、外部機器や人とのインターフェースを提供し、ボタン１０１１）、マイク１０１２、スピーカ１０１３、振動モータ１０１４、コネクタ１０１５、キーパッド１０１６を含む。
【０１８６】
タッチスクリーン１０１８は、ユーザのタッチ入力を受信する。タッチスクリーン・コントローラ１０１７は、タッチスクリーン１０１８を介して入力されたタッチ入力を、制御部１０５０に伝達する。電源供給部１０１９は、第１デバイスに必要な電力を供給するために、バッテリまたは外部電源ソースと連結される。
制御部１０５０は、メモリ１０６０に保存されたプログラムを実行することにより、本発明によって、コミュニケーション情報を伝送する。
【０１８７】
メモリ１０６０に保存されたプログラムは、その機能によって、複数個のモジュールに分類されるが、移動通信モジュール１０６１、Ｗｉ−Ｆｉ（wireless  fidelity）モジュール１０６２、ブルートゥース（Bluetooth(登録商標)）・モジュール１０６３、ＤＭＢモジュール１０６２、カメラモ・ジュール１０６５、センサ・モジュール１０６６、ＧＰＳモジュール１０６７、動画再生モジュール１０６８、オーディオ再生モジュール１０６９、電源モジュール１０７０、タッチスクリーン・モジュール１０７１、ＵＩ（user  interface）モジュール１０７２、アプリケーション・モジュール１０７３などに分類されることができる。
【０１８８】
各モジュールの機能は、その名称から当業者が直観的に推論することができるので、ここでは、アプリケーション・モジュール１０７３について具体的に説明する。
【０１８９】
アプリケーション・モジュール１０７３は、第２デバイス２０００から、コミュニケーション要請を受信することができる。アプリケーション・モジュール１０７３は、移動通信モジュール１０６１、ＷＩＦＩモジュール１０６２及びブルートゥース・モジュール１０６３のうち少なくとも一つを利用して、第２デバイス２０００からのコミュニケーション要請を受信することができる。
【０１９０】
また、アプリケーション・モジュール１０７３は、第１デバイス１０００の周辺の状況情報を獲得することができる。アプリケーション・モジュール１０７３は、カメラ・モジュール１０６５及びセンサ・モジュール１０６６を利用して、カメラ部１００４及びセンサ部１００５から獲得される状況情報を獲得することができる。また、アプリケーション・モジュール１０７３は、マイク１０１２を介して、第１デバイス１０００の周辺の音声を獲得することもできる。
【０１９１】
また、アプリケーション・モジュール１０７３は、コミュニケーション要請に係わる情報を、第３デバイス３０００に伝送するか否かということを決定することができる。アプリケーション・モジュール１０７３は、獲得された状況情報に基づいて、第１デバイス１０００周辺に、ユーザが位置するか否かということを判断し、第１デバイス１０００周辺のユーザが、第１デバイス１０００に登録されたユーザであるか否かということを判断することができる。また、アプリケーション・モジュール１０７３は、第１デバイス１０００周辺に、ユーザが位置しないと判断されるか、あるいはユーザが、第１デバイス１０００に登録されたユーザではなければ、コミュニケーション要請に係わる情報を、第３デバイス３０００に伝送するように決定することができる。
【０１９２】
また、アプリケーション・モジュール１０７３は、コミュニケーション要請を処理する第３デバイス３０００を決定することができる。アプリケーション・モジュール１０７３は、宅内のデバイスのうち、コミュニケーション要請を処理する少なくとも１つの第３デバイス３０００を検索して選択することができる。
【０１９３】
また、アプリケーション・モジュール１０７３は、コミュニケーション要請に係わる情報を、第３デバイス３０００に伝送することができる。アプリケーション・モジュール１０７３は、移動通信モジュール１０６１、ＷＩＦＩモジュール１０６２及びブルートゥース・モジュール１０６３のうち少なくとも一つを利用して、コミュニケーション要請に係わる情報を、第３デバイス３０００に伝送することができる。
【０１９４】
また、アプリケーション・モジュール１０７３は、コミュニケーション要請に係わる情報を、第３デバイス３０００で処理することができる形式に変換し、変換された情報を、第３デバイス３０００に提供することができる。また、アプリケーション・モジュール１０７３は、第３デバイス３０００から提供されるコミュニケーション情報を、第２デバイス２０００が処理することができる形式に変換し、変換された情報を第２デバイス２０００に提供することもできる。
【０１９５】
本発明の一実施形態は、コンピュータによって実行されるプログラムモジュールのような、コンピュータによって実行可能な命令語を含む記録媒体の形態でも具現される。コンピュータ可読媒体は、コンピュータによってアクセスされる任意の可用媒体でもあり、揮発性及び不揮発性の媒体、分離型及び非分離型の媒体をいずれも含む。また、コンピュータ可読媒体は、コンピュータ記録媒体及び通信媒体をいずれも含んでもよい。該コンピュータ記録媒体は、コンピュータ可読命令語、データ構造、プログラムモジュール、またはその他データのような情報の保存のための任意の方法または技術で具現された揮発性及び不揮発性、分離型及び非分離型の媒体をいずれも含む。該通信媒体は、典型的に、コンピュータ可読命令語、データ構造、プログラムモジュール、または搬送波のような変調されたデータ信号のその他データ、またはその他伝送メカニズムを含み、任意の情報伝達媒体を含む。
【０１９６】
前述の本発明の説明は、例示のためのものであり、本発明が属する技術分野の当業者であるならば、本発明の技術的思想や必須な特徴を変更せずとも、他の具体的な形態に容易に変形が可能であるということを理解することができるであろう。従って、以上で記述した実施形態は、全ての面において、例示的なものであり、限定的ではないと理解しなければならない。
【０１９７】
本発明の範囲は、前述の詳細な説明よりは、特許請求の範囲によって示されており、特許請求の範囲の意味及び範囲、並びにその均等概念から導き出される全ての変更、または変形された形態は、本発明の範囲に含まれるものであると解釈されなければならない。
【符号の説明】
【０１９８】
１０００  第１デバイス
１００１  移動通信部
１００２  サーブ通信部
１００３  放送部
１００４  カメラ部
１００５  センサ部
１００６  ＧＰＳ受信部
１０１０  入出力部
１０１１  ボタン
１０１２  マイク
１０１３  スピーカ
１０１４  振動モータ
１０１５  コネクタ
１０１６  キーパッド
１０１７  タッチスクリーン・コントローラ
１０１８  タッチスクリーン
１０１９  電源供給部
１０５０  制御部
１０６０  メモリ
１０６１  移動通信モジュール
１０６２  ＷＩＦＩモジュール
１０６３  ブルートゥース・モジュール
１０６５  カメラ・モジュール
１０６６  センサ・モジュール
１０６７  ＧＰＳモジュール
１０６８  動画再生モジュール
１０６９  オーディオ再生モジュール
１０７０  電源モジュール
１０７１  タッチスクリーン・モジュール
１０７２  ＵＩ
１０７３  アプリケーション・モジュール
１１００  コミュニケーション要請受信部
１２００  状況情報獲得部
１２１０  撮影部
１２２０  録音部
１２３０  センシング部
１３００  情報伝送決定部
１４００  デバイス決定部
１５００  コミュニケーション情報提供部
１６００  メモリ
１７００  送受信部
１８００  制御部
２０００  第２デバイス
３０００  第３デバイス
【図１】
2015523830.tif 000003
【図２Ａ】
2015523830.tif 000004
【図２Ｂ】
2015523830.tif 000005
【図３】
2015523830.tif 000006
【図４】
2015523830.tif 000007
【図５】
2015523830.tif 000008
【図６】
2015523830.tif 000009
【図７】
2015523830.tif 000010
【図８】
2015523830.tif 000011
【図９】
2015523830.tif 000012
【図１０】
2015523830.tif 000013
【図１１】
2015523830.tif 000014
【図１２】
2015523830.tif 000015
【図１３】
2015523830.tif 000016
【図１４】
2015523830.tif 000017
【図１５】
2015523830.tif 000018
【図１６】
2015523830.tif 000019
【国際調査報告】
2015523830.tif 000020
2015523830.tif 000021